(57)【要約】  ワイヤレス通信のための方法、装置、およびコンピュータプログラム製品が提供される。本装置は、第１の無線機を介して１次サービングセルと通信し、ターゲットセルの存在を検出し、１次サービングセルに、ターゲットセルの検出された存在を示す第１のメッセージを送り、１次サービングセルから、ターゲットセルを２次サービングセルとして追加するようにとのコマンドを受信し、ターゲットセルへのハンドオーバを可能にするために第２の無線機を介して１次サービングセルまたはターゲットセルのうちの少なくとも１つと通信する。第１の無線機と第２の無線機は同じ周波数で動作する。１次サービングセルのダウンリンク制御チャネルが、ターゲットセルダウンリンク送信をスケジュールするために使用されない。１次サービングセルに対するアップリンク制御チャネルが、ターゲットセルダウンリンク送信のアクノレッジアクノレッジを与えるために使用されない。１次サービングセルに対するアップリンク制御チャネルは、ターゲットセルダウンリンク送信のためのチャネルサイド情報を与えるために使用されない。
2015516777.tif 000002
【特許請求の範囲】
【請求項１】
下記を具備する、無線通信の方法:
第１の無線機を介して１次サービングセルと通信することと、
ターゲットセルの存在を検出することと、
該ターゲットセルの検出された存在を示す、前記１次サービングセルに、第１のメッセージを送ることと、
２次サービングセルとして該ターゲットセルを追加するために該一次サービングセルからコマンドを受信することと、
前記ターゲットセルへのハンドオーバを可能にするために第２の無線機を介して該ターゲットセル或いは前記１次サービングセルのうちの少なくとも１つと通信することと、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
【請求項２】
前記１次サービングセルから第２のメッセージを受信することと、前記第２のメッセージは、前記１次サービングセルと前記ターゲットセルとに関係するチャネル品質情報（ＣＱＩ）を報告することの要求を含む、および
前記ターゲットセルと通信するために前記第２の無線機をアクティブ化することと
をさらに備える、請求項１に記載の方法。
【請求項３】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと
をさらに備える、請求項２に記載の方法。
【請求項４】
前記１次サービングセルまたは前記ターゲットセルのうちの少なくとも１つからハンドオーバコマンドを受信すること
をさらに備える、請求項１に記載の方法。
【請求項５】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記１次サービングセルから第３のメッセージを受信することと、前記第３のメッセージは、前記ターゲットセルにサウンディング基準信号（ＳＲＳ）を送ることの要求を含む、
前記ターゲットセルに前記ＳＲＳを送ることと、
前記ＳＲＳ、および前記１次サービングセルと前記ターゲットセルとに関係する前記ＣＱＩは、前記ターゲットセルへの前記ハンドオーバを決定するために使用される、
請求項２に記載の方法。
【請求項６】
前記１次サービングセルに報告された前記ターゲットセル及び前記１次サービングセルに関係する前記ＣＱＩまたは該ターゲットに送られた該ＳＲＳのうちの少なくとも１つに基づいて、前記ターゲットセルまたは前記１次サービングセルのうちの少なくとも１つからハンドオーバコマンドを受信すること
をさらに備える、請求項５に記載の方法。
【請求項７】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記ターゲットセルから第３のメッセージを受信することと、前記第３のメッセージは、前記ターゲットセルと前記１次サービングセルに関係する前記ＣＱＩを前記ターゲットセルに報告することの要求を含む、
前記ターゲットセルに、前記１次サービングセルと前記ターゲットセルとに関係する前記ＣＱＩを報告することと、
前記１次サービングセルと前記ターゲットセルとに関係する前記ＣＱＩは、前記ターゲットセルへの前記ハンドオーバを決定するために使用される、
請求項２に記載の方法。
【請求項８】
前記ターゲットセルに報告された前記ターゲットセルと前記一次サービングセルに関係する前記ＣＱＩ、または前記一次サービングセルに報告された前記ターゲットセルおよび前記１次サービングセルに関係する前記ＣＱＩのうちの少なくとも１つに基づいて、前記ターゲットセルまたは前記１次サービングセルのうちの少なくとも１つからハンドオーバコマンドを受信すること、をさらに備える請求項７に記載の方法。
【請求項９】
前記１次サービングセルから第４のメッセージを受信することと、前記第４のメッセージが、前記ターゲットセルにサウンディング基準信号（ＳＲＳ）を送ることの要求を含む、
前記ターゲットセルに前記ＳＲＳを送ることと、
前記ＳＲＳが、前記ターゲットセルへの前記ハンドオーバを決定するためにさらに使用される、
請求項７に記載の方法。
【請求項１０】
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩのうちの少なくとも１つに基づいて、前記ターゲットセルまたは前記１次サービングセルのうちの少なくとも１つからハンドオーバコマンドを受信すること、
をさらに備える請求項９に記載の方法。
【請求項１１】
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥから第１のメッセージを受信することと、
前記ＵＥに、前記１次サービングセルから前記ＵＥに第２のメッセージを送ることと、前記第２のメッセージは、２次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信の方法。
【請求項１２】
前記１次サービングセルおよび前記ターゲットセルとに関係するチャネル品質情報（ＣＱＩ）を報告することの要求を前記ＵＥに前記一次サービングセルから送ることをさらに備える、請求項１１に記載の方法。
【請求項１３】
前記１次サービングセルにおいて、前記１次サービングセルと前記ターゲットセルとに関係する前記ＣＱＩを報告する前記ＵＥからの報告を受信することと、および
前記１次サービングセルにおいて、前記受信された報告に基づいて前記ターゲットセルへのハンドオーバを決定することと
をさらに備える、請求項１２に記載の方法。
【請求項１４】
前記１次サービングセルと前記ターゲットセルとの間でハンドオーバをネゴシエートすることと、および
前記ＵＥへ、前記ハンドオーバをネゴシエートするとき、前記ターゲットセルからハンドオーバコマンドを送ることと
をさらに備える、請求項１１に記載の方法。
【請求項１５】
前記ＵＥに、前記ターゲットセルから送られたハンドオーバコマンドとは別個に前記１次サービングセルから前記ハンドオーバコマンドを送ることをさらに備える、請求項１４に記載の方法。
【請求項１６】
前記１次サービングセルにおいて、前記１次サービングセルと前記ターゲットセルとに関係する前記ＣＱＩを報告するＵＥからの報告を受信することと、
前記１次サービングセルから前記ＵＥに第３のメッセージを送ることと、前記第３のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳまたは前記ターゲットセルと前記１次サービングセルとに関係する前記ＣＱＩを報告する前記１次サービングセルにおいて受信された前記報告のうちの少なくとも１つに基づいて、前記ターゲットセルへのハンドオーバを決定することと
をさらに備える、請求項１２に記載の方法。
【請求項１７】
前記ターゲットセルにおいて受信された前記SRSまたは前記ターゲットセルおよび前記一次サービングセルに関係する前記CQIを報告する前記一次サービングセルで受信された前記報告の少なくとも1つに基づいて、前記ターゲットまたは前記１次サービングセルのうちの少なくとも１つからハンドオーバコマンドを送ること
をさらに備える、請求項１６に記載の方法。
【請求項１８】
前記１次サービングセルにおいて、前記ターゲットセルおよび前記一次サービングセルに関係する前記ＣＱＩを報告するＵＥからの報告を受信することと、
前記ターゲットセルから前記ＵＥに第３のメッセージを送ることと、前記第３のメッセージは、前記ターゲットセルと前記１次サービングセルとに関係する前記ＣＱＩを前記ターゲットセルに報告することの要求を含む、
前記ターゲットセルにおいて、前記１次サービングセルと前記ターゲットセルとに関係する前記ＣＱＩを報告する前記ＵＥからの前記報告を受信することと、
前記１次サービングセルと前記ターゲットセルとに関係する前記ＣＱＩを報告する前記ターゲットセルにおいて受信された前記報告、または前記１次サービングセルと前記ターゲットセルとに関係する前記ＣＱＩを報告する前記一次サービングセルにおいて受信された前記報告のうちの少なくとも１つに基づいて、前記ターゲットセルへのハンドオーバを決定することと
をさらに備える、請求項１２に記載の方法。
【請求項１９】
前記１次サービングセルと前記ターゲットセルとに関係する前記ＣＱＩを報告する前記ターゲットセルにおいて受信された前記報告、または前記１次サービングセルと前記ターゲットセルとに関係する前記ＣＱＩを報告する前記一次サービングセルにおいて受信された前記報告のうちの少なくとも１つに基づいて、前記ターゲットセルまたは前記ターゲットセルのうちの少なくとも１つからハンドオーバコマンドを送ること
をさらに備える、請求項１８に記載の方法。
【請求項２０】
前記１次サービングセルから前記ＵＥに第４のメッセージを送ることと、前記第４のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳにさらに基づいて前記ターゲットセルへの前記ハンドオーバを決定することと
をさらに備える、請求項１８に記載の方法。
【請求項２１】
前記１次サービングセルと前記ターゲットセルとに関係する前記ＣＱＩを報告する前記１次サービングセルにおいて受信された前記報告、前記１次サービングセルと前記ターゲットセルとに関係する前記ＣＱＩを報告する前記ターゲットセルにおいて受信された前記報告、または前記ターゲットセルにおいて受信された前記ＳＲＳ、のうちの少なくとも１つに基づいて、前記ターゲットセルまたは前記１次サービングセルのうちの少なくとも１つからハンドオーバコマンドを送ること
をさらに備える、請求項２０に記載の方法。
【請求項２２】
１次サービングセルまたは２次サービングセルのうちの少なくとも１つに能力メッセージを送ることと、前記能力メッセージは、同じ周波数上で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次サービングセルと前記２次サービングセルの両方からデータサンプルを受信することと
を備える、ワイヤレス通信の方法。
【請求項２３】
前記データサンプルは、前記データサンプルが、前記第１のコンポーネントキャリアと前記第２のコンポーネントキャリアの両方を介して同時に受信することが可能なベースバンド受信機を介して同時に受信されるとき、前記１次サービングセルと前記２次サービングセルの両方から同時に受信される、請求項２２に記載の方法。
【請求項２４】
前記同じ周波数で動作している前記第１のコンポーネントキャリアと前記第２のコンポーネントキャリアとを介した同時送信を無力にすること、゜
をさらに備える、請求項２３に記載の方法。
【請求項２５】
前記１次サービングセルおよび前記２次サービングセルと前記通信することは、単一の無線機または複数の無線機を介して実施される、請求項２２に記載の方法。
【請求項２６】
前記能力メッセージは、ベースバンド受信機が、前記第１のコンポーネントキャリアと前記第２のコンポーネントキャリアの両方を介して同時に受信することができるかどうかを示し、
前記方法は、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信することをさらに備える、
請求項２２に記載の方法。
【請求項２７】
単一の無線機を介して１次サービングセルと通信することと、
ターゲットセルへのハンドオーバを可能にするために前記単一の無線機を介して前記ターゲットセルと通信することと、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルが、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信の方法。
【請求項２８】
第１の無線機を介して１次サービングセルと通信するための手段と、
ターゲットセルの存在を検出するための手段と、
前記ターゲットセルの前記検出された存在を示す前記１次サービングセルに第１のメッセージを送るための手段と、
２次サービングセルとして前記ターゲットセルを追加するための前記１次サービングセルからのコマンドを受信するための手段と、
前記ターゲットセルへのハンドオーバを可能にするために第２の無線機を介して前記１次サービングセルまたは前記ターゲットセルのうちの少なくとも１つと通信するための手段と、ここにおいて、
前記第１の無線機と前記第２の無線機は同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信のための装置。
【請求項２９】
前記１次サービングセルから第２のメッセージを受信するための手段と、前記第２のメッセージは、前記１次サービングセルと前記ターゲットセルとに関係するチャネル品質情報（ＣＱＩ）を報告することの要求を含む、
前記ターゲットセルと通信するために前記第２の無線機をアクティブ化するための手段と、
をさらに備える、請求項３１に記載の装置。
【請求項３０】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と
をさらに備える、請求項２９に記載の装置。
【請求項３１】
前記１次サービングセルまたは前記ターゲットセルのうちの少なくとも１つからハンドオーバコマンドを受信するための手段、
をさらに備える、請求項２８に記載の装置。
【請求項３２】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記１次サービングセルから第３のメッセージを受信するための手段と、前記第３のメッセージは、前記ターゲットセルにサウンディング基準信号（ＳＲＳ）を送ることの要求を含む、
前記ターゲットセルに前記ＳＲＳを送るための手段と、
前記ＳＲＳ、および前記１次サービングセルと前記ターゲットセルとに関係する前記ＣＱＩは、前記ターゲットセルへの前記ハンドオーバを決定するために使用される、
請求項２９に記載の装置。
【請求項３３】
前記ターゲットセルに送られた前記ＳＲＳ、または前記１次サービングセルに報告された前記ターゲットセルと前記１次サービングセルとに関係する前記ＣＱＩのうちの少なくとも１つに基づいて、前記１次サービングセルまたは前記ターゲットセルのうちの少なくとも１つからハンドオーバコマンドを受信するための手段
をさらに備える、請求項３２に記載の装置。
【請求項３４】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記ターゲットセルから第３のメッセージを受信するための手段と、前記第３のメッセージは、前記１次サービングセルと前記ターゲットセルとに関係する前記ＣＱＩを前記ターゲットセルに報告することの要求を含む、
前記ターゲットセルに、前記１次サービングセルと前記ターゲットセルとに関係する前記ＣＱＩを報告するための手段と、
前記１次サービングセルと前記ターゲットセルとに関係する前記ＣＱＩは、前記ターゲットセルへの前記ハンドオーバを決定するために使用される、
請求項２９に記載の装置。
【請求項３５】
前記１次サービングセルに報告された前記ターゲットセルと前記１次サービングセルとに関係する前記ＣＱＩ、または前記ターゲットセルに報告された前記１次サービングセルと前記ターゲットセルとに関係する前記ＣＱＩのうちの少なくとも１つに基づいて、前記１次サービングセルまたは前記ターゲットセルのうちの少なくとも１つからハンドオーバコマンドを受信するための手段、をさらに備える、請求項３４に記載の装置。
【請求項３６】
前記１次サービングセルから第４のメッセージを受信するための手段と、前記第４のメッセージは、前記ターゲットセルにサウンディング基準信号（ＳＲＳ）を送ることの要求を含む、
前記ターゲットセルに前記ＳＲＳを送るための手段と、
前記ＳＲＳは、前記ターゲットセルへの前記ハンドオーバを決定するためにさらに使用される、
請求項３４に記載の装置。
【請求項３７】
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩ、のうちの少なくとも１つに基づいて、前記ターゲットセルまたは前記１次サービングセルのうちの少なくとも１つからハンドオーバコマンドを受信するための手段
をさらに備える、請求項３６に記載の装置。
【請求項３８】
１次サービングセルにおいて第１の無線機を介してユーザ機器（ＵＥ）と通信するための手段と、
ターゲットセルにおいて第２の無線機を介して前記ＵＥと通信するための手段と、
前記１次サービングセルにおいて、前記ターゲットセルの検出された存在を示す前記ＵＥからの第１のメッセージを受信するための手段と、
前記１次サービングセルから前記ＵＥに第２のメッセージを送るための手段と、前記第２のメッセージは、２次サービングセルとして前記ターゲットセルを追加するためのコマンドを含む、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信のための装置。
【請求項３９】
前記１次サービングセルと前記ターゲットセルとに関係するチャネル品質情報（ＣＱＩ）を報告することの要求を前記一次サービングセルから前記ＵＥに送るための手段をさらに備える、請求項３８に記載の装置。
【請求項４０】
前記１次サービングセルにおいて、前記１次サービングセルと前記ターゲットセルとに関係する前記ＣＱＩを報告する前記ＵＥからの報告を受信するための手段と、
前記１次サービングセルにおいて、前記受信された報告に基づいて前記ターゲットセルへのハンドオーバを決定するための手段と
をさらに備える、請求項３９に記載の装置。
【請求項４１】
前記１次サービングセルと前記ターゲットセルとの間で前記ハンドオーバをネゴシエートするための手段と、
前記ハンドオーバをネゴシエートするとき、前記ターゲットセルからハンドオーバコマンドを前記ＵＥに送るための手段と
をさらに備える、請求項４０に記載の装置。
【請求項４２】
前記ターゲットセルから送られたハンドオーバコマンドとは別個に、前記ＵＥに、前記１次サービングセルから前記ハンドオーバコマンドを送るための手段をさらに備える、請求項４１に記載の装置。
【請求項４３】
前記１次サービングセルにおいて、前記１次サービングセルと前記ターゲットセルとに関係する前記ＣＱＩを報告する前記ＵＥからの報告を受信するための手段と、
前記１次サービングセルから前記ＵＥに第３のメッセージを送るための手段と、前記第３のメッセージは、前記ターゲットセルにサウンディング基準信号（ＳＲＳ）を送ることの要求を含む、
前記ターゲットセルにおいて、前記ＵＥから前記ＳＲＳを受信するための手段と、
前記１次サービングセルと前記ターゲットセルとに関係する前記ＣＱＩを報告する前記１次サービングセルにおいて受信された前記報告、または前記ターゲットセルにおいて受信された前記ＳＲＳのうちの少なくとも１つに基づいて、前記ターゲットセルへのハンドオーバを決定するための手段と
をさらに備える、請求項３９に記載の装置。
【請求項４４】
前記１次サービングセルと前記ターゲットセルとに関係する前記ＣＱＩを報告する前記１次サービングセルにおいて受信された前記報告、または前記ターゲットセルにおいて受信された前記ＳＲＳ、のうちの少なくとも１つに基づいて、前記ターゲットセルまたは前記１次サービングセルのうちの少なくとも１つからハンドオーバコマンドを送るための手段をさらに備える、請求項４３に記載の装置。
【請求項４５】
前記１次サービングセルにおいて、前記１次サービングセルと前記ターゲットセルとに関係する前記ＣＱＩを報告する前記ＵＥからの報告を受信するための手段と、
前記ターゲットセルから前記ＵＥに第３のメッセージを送るための手段と、前記第３のメッセージは、前記１次サービングセルと前記ターゲットセルとに関係する前記ＣＱＩを報告することの要求を含む、
前記ターゲットセルにおいて、前記１次サービングセルと前記ターゲットセルとに関係する前記ＣＱＩを報告する前記ＵＥからの前記報告を受信するための手段と、
前記１次サービングセルと前記ターゲットセルとに関係する前記ＣＱＩを報告する前記１次サービングセルにおいて受信された前記報告、または前記１次サービングセルと前記ターゲットセルとに関係する前記ＣＱＩを報告する前記ターゲットセルにおいて受信された前記報告、のうちの少なくとも１つに基づいて、前記ターゲットセルへのハンドオーバを決定するための手段と、
をさらに備える、請求項３９に記載の装置。
【請求項４６】
前記１次サービングセルと前記ターゲットセルとに関係する前記ＣＱＩを報告する前記１次サービングセルにおいて受信された前記報告、または前記１次サービングセルと前記ターゲットセルとに関係する前記ＣＱＩを報告する前記ターゲットセルにおいて受信された前記報告、のうちの少なくとも１つに基づいて、前記１次サービングセルまたは前記ターゲットセルのうちの少なくとも１つからハンドオーバコマンドを送るための手段
をさらに備える、請求項４５に記載の装置。
【請求項４７】
前記１次サービングセルから前記ＵＥに第４のメッセージを送るための手段と、前記第４のメッセージは、前記ターゲットセルにサウンディング基準信号（ＳＲＳ）を送ることの要求を含む、
前記ターゲットセルにおいて、前記ＵＥから前記ＳＲＳを受信するための手段と、
前記ターゲットセルにおいて受信された前記ＳＲＳにさらに基づいて前記ターゲットセルへの前記ハンドオーバを決定するための手段と、
をさらに備える、請求項４５に記載の装置。
【請求項４８】
前記１次サービングセルと前記ターゲットセルとに関係する前記ＣＱＩを報告する前記１次サービングセルにおいて受信された前記報告、前記１次サービングセルと前記ターゲットセルとに関係する前記ＣＱＩを報告する前記ターゲットセルにおいて受信された前記報告、または前記ターゲットセルにおいて受信された前記ＳＲＳ、のうちの少なくとも１つに基づいて、前記１次サービングセルまたは前記ターゲットセルのうちの少なくとも１つからハンドオーバコマンドを送るための手段、
をさらに備える、請求項４７に記載の装置。
【請求項４９】
１次サービングセルまたは２次サービングセルのうちの少なくとも１つに能力メッセージを送るための手段と、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信するための手段と、
前記第２のコンポーネントキャリアを介して前記２次サービングセルと通信するための手段と、
前記１次サービングセルと前記２次サービングセルの両方からデータサンプルを受信するための手段と、
を備える、ワイヤレス通信のための装置。
【請求項５０】
前記データサンプルは、前記データサンプルが、前記第１のコンポーネントキャリアと前記第２のコンポーネントキャリアの両方を介して同時に受信することが可能なベースバンド受信機を介して受信されるとき、前記１次サービングセルと前記２次サービングセルの両方から同時に受信される、請求項４９に記載の装置。
【請求項５１】
前記同じ周波数で動作している前記第１のコンポーネントキャリアと前記第２のコンポーネントキャリアとを介した同時送信を無力にするための手段、
をさらに備える、請求項５０に記載の装置。
【請求項５２】
前記１次サービングセルおよび前記２次セルと前記通信することは、単一の無線機または複数の無線機を介して実施される、請求項４９に記載の装置。
【請求項５３】
前記能力メッセージは、ベースバンド受信機が、前記第１のコンポーネントキャリアと前記第２のコンポーネントキャリアの両方を介して同時に受信することができるかどうかを示し、
前記装置は、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信するための手段をさらに備える、
請求項４９に記載の装置。
【請求項５４】
単一の無線機を介して１次サービングセルと通信するための手段と、
ターゲットセルへのハンドオーバを可能にするために前記単一の無線機を介して前記ターゲットセルと通信するための手段と、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信のための装置。
【請求項５５】
下記を実行するように構成されたプロセッサシステムを備えた無線通信のための装置、
第１の無線機を介して１次サービングセルと通信するように、
ターゲットセルの存在を検出するように、
前記ターゲットセルの検出された存在を示す前記一次サービングセルに第１のメッセージを送るように、
２次サービングセルとして前記ターゲットセルを追加するために前記一次サービングセルからコマンドを受信するように、
前記ターゲットセルへのハンドオーバを可能にするために第２の無線機を介して前記ターゲットまたは前記１次サービングセルのうちの少なくとも１つと通信するように、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
【請求項５６】
前記処理システムは、
前記１次サービングセルから第２のメッセージを受信することと、前記第２のメッセージは、前記１次サービングセルと前記ターゲットセルとに関係するチャネル品質情報（ＣＱＩ）を報告することの要求を含む、
前記ターゲットセルと通信するために前記第２の無線機をアクティブ化することと
を実行するようにさらに構成された、請求項５５に記載の装置。
【請求項５７】
前記処理システムは、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、
さらに構成された、請求項５６に記載の装置。
【請求項５８】
前記処理システムは、
前記１次サービングセルまたは前記ターゲットセルのうちの少なくとも１つからハンドオーバコマンドを受信する
ためにさらに構成された、請求項５５に記載の装置。
【請求項５９】
前記処理システムは、さらに下記を実行するように構成される請求項５６の装置、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、
前記１次サービングセルから第３のメッセージを受信するように、前記第３のメッセージは、前記ターゲットセルにサウンディング基準信号（ＳＲＳ）を送ることの要求を含む、および
前記ターゲットセルに前記ＳＲＳを送るように、
前記ＳＲＳ、および前記１次サービングセルと前記ターゲットセルとに関係する前記ＣＱＩは、前記ターゲットセルへの前記ハンドオーバを決定するために使用される。
【請求項６０】
前記処理システムは、
前記ターゲットセルに送られた前記ＳＲＳ、または前記１次サービングセルに報告された前記ターゲットセルおよび前記１次サービングセルに関係する前記ＣＱＩのうちの少なくとも１つに基づいて、前記１次サービングセルまたは前記ターゲットセルのうちの少なくとも１つからハンドオーバコマンドを受信するようにさらに構成された、請求項５９に記載の装置。
【請求項６１】
前記処理システムは、下記を実施するようにさらに構成される請求項５６に記載の装置、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、
前記ターゲットセルから第３のメッセージを受信するように、前記第３のメッセージは、前記ターゲットセルと前記１次サービングセルとに関係する前記ＣＱＩを報告することの要求を含む、
前記ターゲットセルに、前記１次サービングセルと前記ターゲットセルとに関係する前記ＣＱＩを報告するように、
前記１次サービングセルと前記ターゲットセルとに関係する前記ＣＱＩは、前記ターゲットセルへの前記ハンドオーバを決定するために使用される。
【請求項６２】
前記処理システムは、さらに下記を実行するように構成される請求項６１に記載の装置、
前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩのうちの少なくとも１つに基づいて、前記１次サービングセルまたは前記ターゲットセルのうちの少なくとも１つからハンドオーバコマンドを受信する
ためにさらに構成された、請求項６１に記載の装置。
【請求項６３】
前記処理システムは、さらに下記を実行するように構成される請求項６１に記載の装置、
前記１次サービングセルから第４のメッセージを受信することと、前記第４のメッセージは、前記ターゲットセルにサウンディング基準信号（ＳＲＳ）を送る要求を含む、
前記ターゲットセルに前記ＳＲＳを送ることと、前記ＳＲＳは、前記ターゲットセルへの前記ハンドオーバを決定するためにさらに使用される。
【請求項６４】
前記処理システムは、さらに下記を実行するように構成される請求項６３に記載の装置、
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルに関係する前記ＣＱＩ、のうちの少なくとも１つに基づいて、前記ターゲットセルまたは前記１次サービングセルのうちの少なくとも１つからハンドオーバコマンドを受信すること。
【請求項６５】
無線通信のための装置、該装置は下記を実施するように構成された処理システムを備える、
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥからの第１のメッセージを受信することと、および
前記１次サービングセルから前記ＵＥに第２のメッセージを送ることと、前記第２のメッセージは、前記二次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
【請求項６６】
前記処理システムは、前記ターゲットセルと前記一次サービングセルに関係するチャネル品質情報（ＣＱＩ）を報告する要求を前記１次サービングセルから前記ＵＥにを送るようにさらに構成された、請求項６５に記載の装置。
【請求項６７】
前記処理システムは、
前記１次サービングセルにおいて、前記ターゲットと前記一次サービングに関係した前記ＣＱＩを報告する前記ＵＥからの報告を、受信するように、および
前記１次サービングセルにおいて、前記受信された報告に基づいて前記ターゲットセルへのハンドオーバを決定するように、
さらに構成された請求項６６に記載の装置。
【請求項６８】
前記処理システムは、
前記１次サービングセルと前記ターゲットセルとの間で前記ハンドオーバをネゴシエートすることと、
前記ハンドオーバをネゴシエートすると、前記ＵＥに、前記ターゲットセルからハンドオーバコマンドを送ることと
を行うためにさらに構成された、請求項６７に記載の装置。
【請求項６９】
前記処理システムは、前記ターゲットセルから送られたハンドオーバコマンドとは別個に、前記１次サービングセルからの前記ハンドオーバコマンドを前記ＵＥに送るようにさらに構成された、請求項６８に記載の装置。
【請求項７０】
前記処理システムは、下記を行うようにさらに構成された、請求項６６に記載の装置、
前記１次サービングセルにおいて、前記ターゲットセルと前記１次サービングセルに関係する前記ＣＱＩを報告する前記ＵＥからの報告を受信することと、
前記１次サービングセルから前記ＵＥに第３のメッセージを送ることと、前記第３のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳまたは前記ターゲットセルと前記一次サービングセルに関係した前記ＣＱＩを報告する前記一次サービングセルにおいて受信された前記報告の少なくとも1に基づいて前記ターゲットセルへのハンドオーバーを決定することと。
【請求項７１】
前記処理システムは、前記ターゲットセルおよび前記１次サービングセルに関係する前記ＣＱＩを報告する前記一次サービングセルにおいて受信された前記報告および前記ターゲットセルにおいて受信された前記ＳＲＳ、の少なくとも一つに基づいて前記ターゲットセルまたは前記一次サービングセルの少なくとも1つからハンドオーバコマンドを送るように、さらに構成される請求項７０に記載の装置。  
【請求項７２】
前記処理システムは、下記を行うようにさらに構成される請求項６６に記載の装置、
前記一次サービングセルにおいて、前記ターゲットと前記一次サービングセルに関係したＣＱＩを報告する前記ＵＥからの報告を受信することと、
前記ターゲットセルから前記ＵＥに第３のメッセージを送ることと、前記第３のメッセージは、前記ターゲットセルと前記１次サービングセルに関係する前記ＣＱＩを前記ターゲットセルに報告することの要求を含む、
前記ターゲットセルにおいて、前記ターゲットセルと前記１次サービングセルとに関係する前記ＣＱＩを報告する前記ＵＥからの前記報告を受信することと、
前記ターゲットセルと前記１次サービングセルとに関係する前記ＣＱＩを報告する前記ターゲットセルで受信された報告、あるいは前記ターゲットセルおよび前記１次サービングセルとに関係する前記ＣＱＩを報告する前記一次サービングセルで受信された前記報告と、前記ターゲットセルと前記一次サービングセルに関係した前記ＣＱＩを報告する前記ターゲットで受信された前記報告、のうちの少なくとも１つに基づいて前記ターゲットセルへのハンドオーバを決定すること。
【請求項７３】
前記処理システムは、
前記ターゲットセルと前記１次サービングセルとに関係する前記ＣＱＩを報告する前記１次サービングセルにおいて受信された前記報告、または前記ターゲットセルと前記１次サービングセルに関係する前記ＣＱＩを報告する前記ターゲットセルにおいて受信された前記報告、のうちの少なくとも１つに基づいて、前記ターゲットセルまたは前記１次サービングセルのうちの少なくとも１つからのハンドオーバコマンドを送るようにさらに構成された請求項７２に記載の装置。
【請求項７４】
前記処理システムは、
前記１次サービングセルから前記ＵＥに第４のメッセージを送ることと、前記第４のメッセージは、前記ターゲットセルにサウンディング基準信号（ＳＲＳ）を送ることの要求を含む、および
前記ターゲットセルにおいて、前記ＵＥから前記ＳＲＳを受信することと、
前記ターゲットセルにおいて受信された前記ＳＲＳにさらに基づいて前記ターゲットセルへの前記ハンドオーバを決定することと
を行うようにさらに構成された請求項７２に記載の装置。
【請求項７５】
前記処理システムは、
前記１次サービングセルと前記ターゲットセルとに関係する前記ＣＱＩを報告する前記１次サービングセルにおいて受信された前記報告、前記ターゲットセルと前記１次サービングセルとに関係する前記ＣＱＩを報告する前記ターゲットセルにおいて受信された前記報告、または前記ターゲットセルにおいて受信された前記ＳＲＳ、のうちの少なくとも１つに基づいて、前記１次サービングセルまたは前記ターゲットセルのうちの少なくとも１つからハンドオーバコマンドを送るようにさらに構成された、請求項７４に記載の装置。
【請求項７６】
１次サービングセルまたは２次サービングセルのうちの少なくとも１つに能力メッセージを送ることと、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次サービングセルと前記２次サービングセルの両方からデータサンプルを受信することと、
を行うように構成された処理システムを備える、ワイヤレス通信のための装置。
【請求項７７】
前記データサンプルが前記第１のコンポーネントキャリアと前記第２のコンポーネントキャリアの両方を介して同時に受信することが可能なベースバンド受信機を介して受信されるとき、前記データサンプルは前記１次サービングセルと前記２次サービングセルの両方から同時に受信される、請求項７６に記載の装置。
【請求項７８】
前記処理システムは、
前記同じ周波数で動作している前記第１のコンポーネントキャリアと前記第２のコンポーネントキャリアとを介した同時送信を無力にするようにさらに構成された、請求項７７に記載の装置。
【請求項７９】
前記１次サービングセルおよび前記２次サービングセルと前記通信することは、単一の無線機または複数の無線機を介して実施される、請求項７６に記載の装置。
【請求項８０】
前記能力メッセージは、ベースバンド受信機が、前記第１のコンポーネントキャリアと前記第２のコンポーネントキャリアの両方を介して同時に受信することができるかどうかを示し、
前記処理システムは、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信するようにさらに構成される、
請求項７５に記載の装置。
【請求項８１】
単一の無線機を介して１次サービングセルと通信することと、
ターゲットセルへのハンドオーバを可能にするために前記単一の無線機を介して前記ターゲットセルと通信することと、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
を実施するように構成された処理を備える、ワイヤレス通信のための装置。
【請求項８２】
第１の無線機を介して１次サービングセルと通信することと、
ターゲットセルの存在を検出することと、
前記ターゲットセルの前記検出された存在を示す前記一次サービングセルに第１のメッセージを送ることと、
前記二次サービングセルとして前記ターゲットセルを追加する前記一次サービングセルからのコマンドを受信することと、
前記ターゲットセルへのハンドオーバを可能にするために第２の無線機を介して前記１次サービングセルまたは前記ターゲットセルのうちの少なくとも１つと通信することと、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコードを備えるコンピュータ読み出し可能な媒体を備えるコンピュータプログラム製品。
【請求項８３】
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥからの第１のメッセージを受信することと、
前記１次サービングセルから前記ＵＥに第２のメッセージを送ることと、前記第２のメッセージは前記二次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコード備えたコンピュータ読み出し可能な媒体を備えるコンピュータプログラム製品。
【請求項８４】
１次サービングセルまたは２次サービングセルのうちの少なくとも１つに能力メッセージを送ることと、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次セルと前記２次セルの両方からデータサンプルを受信することと、
のためのコードを備えるコンピュータ可読媒体を備える、コンピュータプログラム製品。
【請求項８５】
単一の無線機を介して１次サービングセルと通信することと、
ターゲットセルへのハンドオーバを可能にするために前記単一の無線機を介してターゲットセルと通信することと、ここにおいて、
前記１次サービングセルとの前記通信は、前記ターゲットセルとの前記通信と時分割多重化され、
ソースセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコードを備えるコンピュータ可読媒体を備えたコンピュータプログラム製品。
【発明の詳細な説明】
【技術分野】
【０００１】
関連出願の相互参照
[0001]本出願は、その全体が参照により本明細書に明確に組み込まれる、２０１２年５月１１日に出願された「CARRIER AGGREGATION CAPABLE MOBILE OPERATION OVER SINGLE FREQUENCY」と題する米国仮出願第６１／６４６，１３３号、および２０１３年３月１４日に出願された「CARRIER AGGREGATION CAPABLE MOBILE OPERATION OVER SINGLE FREQUENCY」と題する米国特許出願第１３／８３１，５５０号の利益を主張する。
【０００２】
[0002]本開示は、一般に通信システムに関し、より詳細には、同じ周波数での２つのセル上でのキャリアアグリゲーションのために構成されたモバイル端末のモビリティを管理することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]ダウンリンクおよびアップリンクにおいて高いピークデータレートを達成するために、大きい送信帯域幅が必要であり得る。しかしながら、連続スペクトルの大部分の利用可能性がまれであり得るので、高帯域幅送信を達成するために複数のコンポーネントキャリアのキャリアアグリゲーションが実施され得る。したがって、断片化されたスペクトルを用いた事業者は、より高いピークデータレートに達するためにキャリアアグリゲーションを使用し得る。キャリアアグリゲーションは、ＵＥが２つのキャリア周波数で受信および送信することをも可能にする。
【０００６】
[0006]しかしながら、ピークデータレートがＵＥ能力によって制限されないときなど、ネットワークが負荷をかけられるとき、キャリアアグリゲーションは性能利得を提供しないことがある。キャリアアグリゲーションは、サポートされるキャリアアグリゲーション帯域組合せのためのスペクトルまたはインフラストラクチャが利用可能でないとき、無力にされ得る。したがって、性能利益を実現するために、キャリアアグリゲーション方式を実施する代替方法が必要とされる。
【０００７】
[0007]一態様では、ＵＥが、同じ周波数での２つのセル上でのキャリアアグリゲーションのために構成され、ＵＥが、上記同じ周波数に同調されたそれぞれの無線機を介して各セルと通信するとき、ＵＥは、性能を向上させるためにそれら２つの無線機を利用し得る。たとえば、ＵＥは、対応するネットワークの基地局が高速または高スループットバックホールトポロジーを有する場合、多地点協調（ＣｏＭＰ）方式を実施するために、キャリアアグリゲーション方式の上記２つの無線機を利用し得る。代替的に、ＵＥは、あるセルから別のセルへのモビリティを向上させるために、キャリアアグリゲーション方式の上記２つの無線機を利用し得る。
【０００８】
[0008]本開示の一態様では、ワイヤレス通信のための方法、装置、およびコンピュータプログラム製品が提供される。本装置は、第１の無線機を介して１次サービングセルと通信し、ターゲットセルの存在を検出し、１次サービングセルに、ターゲットセルの検出された存在を示す第１のメッセージを送り、１次サービングセルから、ターゲットセルを２次サービングセルとして追加するようにとのコマンドを受信し、ターゲットセルへのハンドオーバを可能にするために第２の無線機を介して１次サービングセルまたはターゲットセルのうちの少なくとも１つと通信し、ここにおいて、第１の無線機と第２の無線機は同じ周波数で動作し、１次サービングセルのダウンリンク制御チャネルが、ターゲットセルダウンリンク送信をスケジュールするために使用されず、１次サービングセルに対するアップリンク制御チャネルが、ターゲットセルダウンリンク送信のアクノレッジを与えるために使用されず、１次サービングセルに対するアップリンク制御チャネルは、ターゲットセルダウンリンク送信のためのチャネルサイド情報を与えるために使用されない。
【０００９】
[0009]さらなる態様では、本装置は、１次サービングセルにおいて第１の無線機を介してユーザ機器（ＵＥ）と通信し、ターゲットセルにおいて第２の無線機を介してＵＥと通信し、１次サービングセルにおいて、ＵＥから、ターゲットセルの検出された存在を示す第１のメッセージを受信し、１次サービングセルからＵＥに第２のメッセージを送り、第２のメッセージが、ターゲットセルを２次サービングセルとして追加するようにとのコマンドを含み、ここにおいて、１次サービングセルのダウンリンク制御チャネルが、ターゲットセルダウンリンク送信をスケジュールするために使用されず、１次サービングセルに対するアップリンク制御チャネルが、ターゲットセルダウンリンク送信のアクノレッジを与えるために使用されず、１次サービングセルに対するアップリンク制御チャネルは、ターゲットセルダウンリンク送信のためのチャネルサイド情報を与えるために使用されない。
【００１０】
[0010]別の態様では、本装置は、１次サービングセルまたは２次サービングセルのうちの少なくとも１つに能力メッセージを送り、能力メッセージが、同じ周波数で動作している第１のコンポーネントキャリアと第２のコンポーネントキャリアとを介して通信する能力を示し、第１のコンポーネントキャリアを介して１次サービングセルと通信し、第２のコンポーネントキャリアを介して２次サービングセルと通信し、１次サービングセルと２次サービングセルの両方からデータサンプルを受信する。
【００１１】
[0011]また別の態様では、本装置は、単一の無線機を介して１次サービングセルと通信し、ターゲットセルへのハンドオーバを可能にするために上記単一の無線機を介してターゲットセルと通信し、ここにおいて、１次サービングセルとの通信が、ターゲットセルとの通信と時分割多重化され、１次サービングセルのダウンリンク制御チャネルが、ターゲットセルダウンリンク送信をスケジュールするために使用されず、１次サービングセルに対するアップリンク制御チャネルが、ターゲットセルダウンリンク送信のアクノレッジを与えるために使用されず、１次サービングセルに対するアップリンク制御チャネルは、ターゲットセルダウンリンク送信のためのチャネルサイド情報を与えるために使用されない。
【００１２】
[0012]またさらなる態様では、本装置は、１次サービングセルにおいて単一の無線機を介してユーザ機器（ＵＥ）と通信し、ターゲットセルにおいて上記単一の無線機を介してＵＥと通信し、１次サービングセルにおいて、ＵＥから、ターゲットセルの検出された存在を示す第１のメッセージを受信し、１次サービングセルからＵＥに第２のメッセージを送り、第２のメッセージが、１次サービングセルとターゲットセルとに関係するチャネル品質情報（ＣＱＩ）を報告することの要求報告することの要求を含み、ここにおいて、１次サービングセルにおけるＵＥとの通信が、ターゲットセルにおけるＵＥとの通信と時分割多重化される。
【図面の簡単な説明】
【００１３】
【図１】[0013]ネットワークアーキテクチャの一例を示す図。
【図２】[0014]アクセスネットワークの一例を示す図。
【図３】[0015]ＬＴＥにおけるＤＬフレーム構造の一例を示す図。
【図４】[0016]ＬＴＥにおけるＵＬフレーム構造の一例を示す図。
【図５】[0017]ユーザプレーンおよび制御プレーンのための無線プロトコルアーキテクチャの一例を示す図。
【図６】[0018]アクセスネットワーク中の発展型ノードＢおよびユーザ機器の一例を示す図。
【図７】[0019]異種ネットワーク中の範囲拡大セルラー領域を示す図。
【図８】[0020]ＵＥモビリティプロシージャを示す図。
【図９】[0021]キャリアアグリゲーション方式を組み込んだＵＥモビリティプロシージャを示す図。
【図１０】[0022]キャリアアグリゲーション方式を組み込んだＵＥモビリティプロシージャを示す図。
【図１１】[0023]キャリアアグリゲーション方式を組み込んだＵＥモビリティプロシージャを示す図。
【図１２】[0024]キャリアアグリゲーション方式を組み込んだＵＥモビリティプロシージャを示す図。
【図１３】[0025]ワイヤレス通信の方法のフローチャート。
【図１４】[0026]ワイヤレス通信の方法のフローチャート。
【図１５】[0027]ワイヤレス通信の方法のフローチャート。
【図１６】[0028]ワイヤレス通信の方法のフローチャート。
【図１７】[0029]ワイヤレス通信の方法のフローチャート。
【図１８】[0030]例示的な装置中の異なるモジュール／手段／構成要素間のデータフローを示す概念データフロー図。
【図１９】[0031]例示的な装置中の異なるモジュール／手段／構成要素間のデータフローを示す概念データフロー図。
【図２０】[0032]処理システムを採用する装置のためのハードウェア実施形態の一例を示す図。
【図２１】[0033]処理システムを採用する装置のためのハードウェア実装形態の一例を示す図。
【発明を実施するための形態】
【００１４】
[0034]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【００１５】
[0035]次に、様々な装置および方法に関して電気通信システムのいくつかの態様が提示される。これらの装置および方法は、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実施され得る。そのような要素をハードウェアとして実施するか、ソフトウェアとして実施するかは、特定の適用例および全体的なシステムに課された設計制約に依存する。
【００１６】
[0036]例として、要素、または要素の任意の部分、または要素の任意の組合せは、１つまたは複数のプロセッサを含む「処理システム」を用いて実施され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するために構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0037]したがって、１つまたは複数の例示的な実施形態では、説明される機能は、ハードウェア、ソフトウェア、ファームウェア、またはそれらの任意の組合せで実施され得る。ソフトウェアで実施される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１８】
[0038]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示されるように、ＥＰＳはパケット交換サービスを提供するが、当業者なら容易に諒解するように、本開示全体にわたって提示される様々な概念は、回線交換サービスを提供するネットワークに拡張され得る。
【００１９】
[0039]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0040]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のための入口点として働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００２１】
[0041]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるために構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最も小さいカバレージエリアを指すことがあり、および／またはｅＮＢサブシステムサービングが特定のカバレージエリアである。さらに、「ｅＮＢ」、「基地局」、および「セル」という用語は、本明細書では互換的に使用され得る。
【００２２】
[0042]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの１部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0043]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２４】
[0044]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0045]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２６】
[0046]図３は、ＬＴＥにおけるＤＬフレーム構造の１例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２７】
[0047]図４は、ＬＴＥにおけるＵＬフレーム構造の１例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２８】
[0048]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数でホッピングし得る。
【００２９】
[0049]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３０】
[0050]図５は、ＬＴＥにおけるユーザプレーンおよび制御プレーンのための無線プロトコルアーキテクチャの１例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実施する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００３１】
[0051]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３２】
[0052]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３３】
[0053]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３４】
[0054]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実施する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３５】
[0055]送信（ＴＸ）プロセッサ６１６は、Ｌ１レイヤ（すなわち、物理レイヤ）のための様々な信号処理機能を実施する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３６】
[0056]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実施する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３７】
[0057]コントローラ／プロセッサ６５９はＬ２レイヤを実施する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするためにアクノレッジ（ＡＣＫ）および／または否定応答（ＮＡＣＫ）プロトコルを使用した誤り検出を担当する。
【００３８】
[0058]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実施する。コントローラ／プロセッサ６５９はまた、ＨＡＲＱ動作と、紛失パケットの再送信と、ｅＮＢ６１０へのシグナリングとを担当する。
【００３９】
[0059]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００４０】
[0060]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実施し得る。
【００４１】
[0061]コントローラ／プロセッサ６７５はＬ２レイヤを実施する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４２】
[0062]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、ＵＥ７２０が範囲拡大セルラー領域７０３に入るとき、範囲拡大セルラー領域７０３中のＵＥ７２０をサービスし、マクロｅＮＢ７１０ａからのＵＥ７２０のハンドオフを受け入れることが可能になる。
【００４３】
[0063]キャリアアグリゲーションは、より高いピークデータレートを達成するために、断片化されたスペクトルを用いたネットワーク事業者の間で普及している特徴である。多地点協調（ＣｏＭＰ）は、特にリモートラジオヘッド（ＲＲＨ）展開について、ノード間協調の使用によってより良いネットワークスペクトル効率を与え得る。拡張セル間干渉協調（ｅＩＣＩＣ：enhanced inter-cell interference coordination）は、マクロとピコ／ＲＲＨとの間の干渉緩和を可能にし、これは、セル範囲拡大と、よりロバストなモビリティ性能とにつながる。したがって、ＵＥが、上記で説明された方式の様々な特徴を組み合わせることから恩恵を受け得る。
【００４４】
[0064]１態様では、ＵＥのためのサービングセルの構成されたセットが、１つの１次サービングセル（ＰＣｅｌｌ：primary serving cell）と１つまたは複数の２次サービングセル（ＳＣｅｌｌ：secondary serving cell）とを備える。ＰＣｅｌｌは、接続確立中に初めに構成されたセルとして定義され得る。ＳＣｅｌｌは、接続確立の後に、追加の無線リソースを与えるためなどに構成され得るセルである。各ＳＣｅｌｌについて、ダウンリンクリソースに加えて、ＵＥによるアップリンクリソースの使用が構成可能である。たとえば、構成されたダウンリンク２次コンポーネントキャリア（ＳＣＣ：secondary component carrier）の数はアップリンクＳＣＣの数よりも大きいかまたはそれに等しいことがあり、ＳＣｅｌｌはアップリンクリソースのみの使用のために構成されないことがある。ＵＥの観点から、各アップリンクリソースは１つのサービングセルに属する。構成され得るサービングセルの数は、ＵＥのアグリゲーション能力に依存し得る。ＰＣｅｌｌは、ハンドオーバプロシージャを介して（すなわち、セキュリティキー変更およびＲＡＣＨプロシージャを用いて）変更され得る。ＰＣｅｌｌは、ＰＵＣＣＨを送信するために使用され得る。
【００４５】
[0065]ＳＣｅｌｌとは異なり、ＰＣｅｌｌは非アクティブ化されないことがある。再確立は、ＳＣｅｌｌリンクが無線リンク障害（ＲＬＦ：radio link failure）を経験するときではなく、ＰＣｅｌｌ通信リンクがＲＬＦを経験するとき、トリガされ得る。非アクセス層（ＮＡＳ：non-access stratum）情報がＰＣｅｌｌから取られ得る。ＳＣｅｌｌの再構成、追加、および削除がＲＲＣによって実行され得る。ＬＴＥ内ハンドオーバにおいて、ＲＲＣは、ターゲットＰＣｅｌｌとともに使用のためのＳＣｅｌｌをも追加、削除、または再構成することができる。新しいＳＣｅｌｌを追加するとき、そのＳＣｅｌｌのシステム情報を送るために専用ＲＲＣシグナリングが使用され得る。たとえば、接続モードにある間、ＵＥは、ＳＣｅｌｌから、ブロードキャストされたシステム情報を収集する必要がない。キャリアアグリゲーションでは、ＵＥがただ１つのサービングセル（たとえば、ＰＣｅｌｌ）で構成されたときはいつでも、ＬＴＥ  Ｒｅｌ−８／９  ＤＲＸが適用され得る。他の場合、同じＤＲＸ動作が、すべての構成されたおよびアクティブ化されたサービングセルに適用される（たとえば、ＰＤＣＣＨ監視のための同等のアクティブ時間）。
【００４６】
[0066]ＳＣｅｌｌが非アクティブであるとき、ＵＥは、対応するＰＤＣＣＨまたはＰＤＳＣＨを受信する必要がなく、対応するアップリンク上で送信しないことがあり、また、ＵＥは、ＣＱＩ測定を実行するように要求もされない。逆に、ＳＣｅｌｌがアクティブであるとき、ＵＥは、（ＵＥがＳＣｅｌｌからのＰＤＣＣＨを監視するために構成された場合）ＰＤＳＣＨおよびＰＤＣＣＨを受信し得、ＣＱＩ測定を実行することを予想される。アクティブ化／非アクティブ化機構は、ＭＡＣ制御要素と非アクティブ化タイマーの組合せに基づき得る。ＭＡＣ制御要素は、ＳＣｅｌｌのアクティブ化および非アクティブ化のためのビットマップを搬送し得、すなわち、１に設定されたビットマップ中のビットは、対応するＳＣｅｌｌのアクティブ化を示し得、０に設定されたビットマップ中のビットは、対応するＳＣｅｌｌの非アクティブ化を示し得る。ビットマップを用いて、ＳＣｅｌｌは個々にアクティブ化および非アクティブ化され得、単一のアクティブ化／非アクティブ化コマンドが、ＳＣｅｌｌのすべてまたはサブセットをアクティブ化／非アクティブ化することができる。ＳＣｅｌｌごとに１つの非アクティブ化タイマーが維持され得るが、ＲＲＣによってＵＥごとに１つの共通アクティブ化／非アクティブ化コマンド値が構成される。
【００４７】
[0067]モビリティ制御情報を用いない再構成において、１）サービングセルのセットに追加されたＳＣｅｌｌは初めに「非アクティブ化」され、２）サービングセルのセット中に残っている（変更されていないまたは再構成された）ＳＣｅｌｌは、それらのアクティブ化ステータス（「アクティブ化」または「非アクティブ化」）を変更しない。モビリティ制御情報（たとえば、ハンドオーバ）を用いた再構成において、ＳＣｅｌｌは「非アクティブ化」される。
【００４８】
[0068]ＵＥは、システム情報収集を適用し、ＰＣｅｌｌのための監視プロシージャを変更し得る。ＳＣｅｌｌについて、Ｅ−ＵＴＲＡＮは、ＳＣｅｌｌを追加するとき、専用シグナリングを介して、ＲＲＣ＿ＣＯＮＮＥＣＴＥＤ状態におけるＵＥ動作について関連するシステム情報を与える。構成されたＳＣｅｌｌの関連するシステム情報の変更時に、Ｅ−ＵＴＲＡＮは、そのＳＣｅｌｌをリリースし、その後、構成されたＳＣｅｌｌをサービングセルのセットに追加し、これは、単１のＲＲＣＣｏｎｎｅｃｔｉｏｎＲｅｃｏｎｆｉｇｕｒａｔｉｏｎメッセージを用いて行われ得る。
【００４９】
[0069]ＵＥがＲＲＣ＿ＣＯＮＮＥＣＴＥＤ状態にあるとき、ネットワークはＵＥモビリティを制御し得、たとえば、ネットワークは、ＵＥがいつ、どの（１つまたは複数の）Ｅ−ＵＴＲＡセル、またはＲＡＴ間セルに接続するかを決定する。ＲＲＣ＿ＣＯＮＮＥＣＴＥＤ状態にあるＵＥのネットワーク制御されたモビリティについて、現在サービングＰＣｅｌｌは、ｍｏｂｉｌｉｔｙＣｏｎｔｒｏｌＩｎｆｏメッセージ（ハンドオーバ）を含むＲＲＣＣｏｎｎｅｃｔｉｏｎＲｅｃｏｎｆｉｇｕｒａｔｉｏｎメッセージを使用して変更され得、（１つまたは複数の）現在ＳＣｅｌｌは、ｍｏｂｉｌｉｔｙＣｏｎｔｒｏｌＩｎｆｏメッセージを用いたまたは用いないＲＲＣＣｏｎｎｅｃｔｉｏｎＲｅｃｏｎｆｉｇｕｒａｔｉｏｎメッセージを使用して変更され得る。ネットワークは、たとえば、無線状態または負荷に基づいて、ハンドオーバプロシージャをトリガし得る。ハンドオーバプロシージャを可能にするために、ネットワークは、（場合によっては測定ギャップの構成を含む）測定報告を実行するためにＵＥを構成し得る。ネットワークはまた、たとえば、ＵＥから測定報告を受信することなしに、ハンドオーバをブラインドで開始し得る。
【００５０】
[0070]ダウンリンクおよびアップリンクにおいて高いピークデータレートを達成するために、大きい送信帯域幅が必要であり得る。しかしながら、連続スペクトルの大部分の利用可能性がまれであり得るので、高帯域幅送信を達成するために複数のコンポーネントキャリアのキャリアアグリゲーションが実施され得る。したがって、断片化されたスペクトルを用いた事業者は、より高いピークデータレートに達するためにキャリアアグリゲーションを使用し得る。その上、キャリアアグリゲーションは、ＵＥが２つのキャリア周波数で受信および送信することを可能にする。
【００５１】
[0071]キャリアアグリゲーションの帯域アグノスティックサポートに関して、ＵＥ能力は、１）接続モードのみ、２）１次セルおよび２次セル管理（構成、アクティブ化）、３）測定および報告（無線リソース管理（ＲＲＭ：radio resource management）、チャネル品質情報（ＣＱＩ）など）、ならびに４）ベースバンドにおけるＰＤＣＣＨとＰＤＳＣＨとの同時復号を含み得る。キャリアアグリゲーションの帯域固有サポートに関して、ＵＥ能力は、１）帯域内無線周波数（ＲＦ）要件（たとえば、ある周波数帯域内でキャリアをアグリゲートするための能力）、および２）帯域間ＲＦ要件（たとえば、異なる周波数帯域にわたってキャリアをアグリゲートするための能力）を含み得る。
【００５２】
[0072]特に、ネットワークが負荷をかけられるとき、たとえば、ピークデータレートがＵＥ能力によって制限されないとき、キャリアアグリゲーションは性能利得を提供しないことがある。その上、キャリアアグリゲーションは、サポートされるキャリアアグリゲーション帯域組合せのためのスペクトルまたはインフラストラクチャが利用可能でないとき、無力にされ得る。したがって、キャリアアグリゲーションの性能利益は、１）キャリアアグリゲーション対応ｅＮＢおよびサポートされるキャリアアグリゲーション帯域組合せが利用可能であるロケーションにおける軽負荷ネットワークにおけるピークデータレート増加、ならびに２）日和見的アクセスのための補助データキャリアに限られ得る。
【００５３】
[0073]一態様では、キャリアアグリゲーションは、すべての帯域においてキャリアアグリゲーション対応ＵＥのベースバンド能力を利用するように修正され得る。したがって、キャリアアグリゲーションが可能でないＵＥが、修正されたキャリアアグリゲーション方式のシグナリングサポートを実施することに価値を見いだし得る。修正されたキャリアアグリゲーション方式の１例では、キャリアアグリゲーションが可能なＵＥは、同じ周波数で２つのセルに接続し得る。
【００５４】
[0074]修正されたキャリアアグリゲーション方式の別の例では、ＵＥは、４つの受信アンテナを単一の周波数にアグリゲートし得る。たとえば、２つのキャリアを介したキャリアアグリゲーションが可能なＵＥは、各キャリアのために構成された２つの受信アンテナ（合計４つの受信アンテナ）を有し得る。ＵＥが単一のキャリア上で展開されるとき、ＵＥは、同じ周波数を受信するためにすべての４つの受信アンテナを利用し得る。
【００５５】
[0075]ＵＥが、同じ周波数での２つのセル上でのキャリアアグリゲーションのために構成されたとき、ＵＥはまた、帯域間キャリアアグリゲーションおよび／または帯域内キャリアアグリゲーションのために構成され得る。アップリンクキャリアアグリゲーション対応ＵＥの場合、ＵＥは、自己干渉を回避するために、同じ周波数で動作している第１のコンポーネントキャリアと第２のコンポーネントキャリアとを介した同時送信を無力にし得る（たとえば、ＰＵＳＣＨ／ＰＵＣＣＨの同時送信を無力にする）。
【００５６】
[0076]別の例では、帯域内キャリアアグリゲーション対応ＵＥの場合、ＵＥが単一無線方式を実施するとき、ＵＥは、（第１のコンポーネントキャリアを介して）１次セルと（第２のコンポーネントキャリアを介して）２次セルの両方からデータサンプルを同時に受信することが可能であり得る。これらのタイプのＵＥが同じ周波数で２つのキャリア上で受信することを可能にするために、いくつかのパラメータ（たとえば、局部発振器（ＬＯ）、高速フーリエ変換（ＦＦＴ）など）が再構成され得る。ＵＥが複数無線方式を実施するとき、異なるコンポーネントキャリアのための複数のアンテナとＴｘ／ＲＸチェーンとが与えられる。
【００５７】
[0077]さらに、ＵＥが、同じ周波数での２つのセル上でのキャリアアグリゲーションのために構成されたとき、ＵＥは、ネットワークにそのような能力をシグナリングし得る。たとえば、ＵＥは、１次セルまたは２次セルに、ＵＥが、同じ周波数で動作している第１のコンポーネントキャリアと第２のコンポーネントキャリアとを介して通信することが可能であるかどうかを示す能力メッセージを送り得る。ＵＥが、第１のコンポーネントキャリアと第２のコンポーネントキャリアとを介してデータサンプルを同時に受信する（たとえば、ＰＤＳＣＨ／ＰＤＣＣＨの同時受信）ためのベースバンド電力を有しない場合、能力メッセージは、ベースバンド受信機が、第１のコンポーネントキャリアと第２のコンポーネントキャリアの両方を介して同時に受信することが不可能であることを示し得る。ベースバンド受信機は、両方のコンポーネントキャリアを介した同時受信が不可能であり得るが、ＵＥは、１次セルと２次セルとからのデータサンプルが時分割多重化されるとき、依然として、第１のコンポーネントキャリアと第２のコンポーネントキャリアとを介して非同時様式でデータサンプルを受信し得る。１次セルからの送信と２次セルからの送信が重複しないので、単一の無線機を用いたＵＥは、各セルを１つずつ復号することができる。時分割多重化（ＴＤＭ）パターンが１次セルと２次セルとの間で定義され得る。
【００５８】
[0078]一態様では、ＵＥが、同じ周波数での２つのセル上でのキャリアアグリゲーションのために構成され、ＵＥが、上記同じ周波数に同調されたそれぞれの無線機を介して各セルと通信するとき、ＵＥは、性能を向上させるためにそれら２つの無線機を利用し得る。たとえば、ＵＥは、対応するネットワークの基地局が高速または高スループットバックホールトポロジーを有する場合、多地点協調（ＣｏＭＰ）方式を実施するために、キャリアアグリゲーション方式で上記２つの無線機を利用し得る。代替的に、ＵＥは、あるセルから別のセルへのモビリティを向上させるために、キャリアアグリゲーション方式で上記２つの無線機を利用し得る。
【００５９】
[0079]図８は、ＵＥモビリティプロシージャを示す図８００である。図８を参照すると、ＵＥが移動するにつれて、ソースセル（または１次サービングセル）のチャネル強度は減少し得、ターゲットセル（または２次サービングセル）のチャネル強度は増加する。時間Ｔ１（８０２）において、ＵＥはターゲットセルの存在を検出し得る。時間Ｔ２（８０４）において、イベントＡ３が、ハンドオーバ動作をトリガするために検出され得る。図８では、イベントＡ３は、ターゲットセルのチャネル強度がソースセルのチャネル強度を１定量だけ超えることとして定義され得る。イベントＡ３が検出されたとき、ＵＥは、ソースセルに、ターゲットセルのチャネル強度がソースセルのチャネル強度を超えることを示す基準信号受信電力（ＲＳＲＰ：reference signal receive power）測定値を与え得る。ＲＳＲＰ測定値がソースセルに与えられるとき、ソースセルは、ソースセルからターゲットセルへのＵＥのハンドオーバを考慮し得、これは、ソースセルとターゲットセルとの間のハンドオーバネゴシエーションを含み得る。ハンドオーバがソースセルとターゲットセルとの間で同意されるとき、ソースセルは、ＵＥにハンドオーバコマンドを送り得る。ソースセルからハンドオーバコマンドを受信すると、ＵＥは、ターゲットセルとの接続を確立するためにターゲットセルとともにＲＡＣＨプロシージャを実行し得る。ターゲットセルへのハンドオーバが完了したとき、ソースセルは、２次サービングセルと見なされるか、またはサービングセルのセットから削除され得、ターゲットセルは新しい１次サービングセルと見なされ得る。
【００６０】
[0080]図９は、キャリアアグリゲーション方式とともに使用するためのＵＥモビリティプロシージャを示す図９００である。図９のＵＥモビリティプロシージャはレガシー２次サービングセル（ＳＣｅｌｌ）とともに動作し得る。ＵＥは、第１の無線機を介してソースセル（たとえば、１次サービングセル）と通信し、第２の無線機を介してターゲットセル（たとえば、２次サービングセル）と通信し得、ここにおいて、第１の無線機と第２の無線機は同じ周波数で動作し得る。
【００６１】
[0081]図８に示されているように、時間Ｔ３（８０６）において、ＵＥがハンドオーバコマンドを正常に受信することより前に、障害がソースセルにおいて発生し得る。したがって、図９は、ソースセルにおいて行われるハンドオーバ決定を改善するためにＵＥから報告されたチャネル品質情報（ＣＱＩ）を使用するためのプロシージャを与える。図９を参照すると、時間Ｔ１（９０２）においてターゲットセルが検出された後、イベントＡ３が検出され得る（９０４）。図９のイベントＡ３は図８のイベントＡ３とは異なり得る。たとえば、図９では、イベントＡ３は、ターゲットセルが検出可能および／または測定可能であることとして定義され得る。その上、図９のイベントＡ３は、ハンドオーバをトリガするためにではなく、キャリアアグリゲーション方式でのコンポーネントキャリアの管理（たとえば、１次セル／２次セル管理）をトリガするために、検出され得る。
【００６２】
[0082]イベントＡ３が検出されたとき、ＵＥは、ソースセルに、ターゲットセルの検出を示す基準信号受信電力（ＲＳＲＰ）測定値を与え得る。ＲＳＲＰ測定値がソースセルによって受信されるとき、ソースセルは、ソースセルがダウンリンクチャネル状態を決定するために、ＵＥに、ソースセルに関係するチャネル品質情報（ＣＱＩ）とターゲットセルに関係するＣＱＩ情報とを報告する（本明細書ではＣＱＩ報告と呼ばれることがある）ようにＵＥに要求するＣＱＩ要求メッセージ（たとえば、２次セル（ＳＣｅｌｌ）追加ＣＱＩ構成メッセージ）を送り得る。ＵＥがＣＱＩ要求メッセージを受信するとき、ＵＥは、ターゲットセルと通信し、ターゲットセルに関係するＣＱＩを測定するために、第２の無線機をアクティブ化する。その後、ＵＥは、ソースセルがソースセルとターゲットセルの両方のダウンリンクチャネル状態を決定することを可能にする、ソースセルとターゲットセルの両方に関係する１つまたは複数のＣＱＩ報告（デュアルＣＱＩ）を送り得る。したがって、ソースセルとターゲットセルの両方に関係するＣＱＩ報告は、ソースセルからターゲットセルへのＵＥのハンドオーバに関するインフォームド決定を行うためにソースセルによって使用され得る。
【００６３】
[0083]しばらくして、ソースセルが、ターゲットセルのチャネル強度がＵＥをサービスするのに十分であると決定するとき、ソースセルは、ハンドオーバをターゲットセルとネゴシエートする。ハンドオーバがソースセルとターゲットセルとの間で同意された後、ソースセルは、ＵＥにハンドオーバコマンドを送り得る。ハンドオーバコマンドを受信すると、ＵＥは、ターゲットセルとの接続を確立するためにターゲットセルとともにＲＡＣＨプロシージャを実行し得る。ターゲットセルへのハンドオーバが完了したとき、ソースセルは、２次サービングセルと見なされるか、またはサービングセルのセットから削除され得、ターゲットセルは新しい１次サービングセルと見なされ得る。この状況では、ハンドオーバネゴシエーションは、ソースセルリンクによる障害（たとえば、無線リンク障害、不十分なチャネル品質、不十分な受信品質など）を最小限に抑えるために、よりすぐに開始され得る。代替的に、ハンドオーバネゴシエーションは、ターゲットセルにおける障害を最小限に抑えるために、あるいはソースセルまたはターゲットセルのいずれかにおける障害の見込みを最小限に抑えるために、よりすぐに開始され得る。
【００６４】
[0084]図１０は、キャリアアグリゲーション方式とともに使用するための別のＵＥモビリティプロシージャを示す図１０００である。図１０のＵＥモビリティプロシージャは、より良いハンドオーバコマンドロバストネスを与える。ＵＥは、第１の無線機を介してソースセル（たとえば、１次サービングセル）と通信し、第２の無線機を介してターゲットセル（たとえば、２次サービングセル）と通信し得、ここにおいて、第１の無線機と第２の無線機は同じ周波数で動作し得る。図１０のプロシージャは、ハンドオーバコマンド（１００２）がソースセルとターゲットセルの両方、またはターゲットセルのみから送られ得ることを除いて、図９に関して上記で説明されたプロシージャと同様である。
【００６５】
[0085]図１０では、ハンドオーバネゴシエーションは、ソースセルとターゲットセルとの間で開始し得る。ターゲットセルが十分な情報を収集すると、ハンドオーバは、ソースセルリンクが障害を起こすときでも、ターゲットセルによって完了され得る。たとえば、図１０を参照すると、時間Ｔ３（１００４）において、たとえば、ソースセルリンクのＳＮＲがあまりに低いので、そのリンクが障害を起こすことの高い見込みがあり得る。したがって、ターゲットセルの増加されたチャネル強度が、ハンドオーバ障害のより低い見込みを与えるので、ターゲットセルからハンドオーバコマンドを送ること（たとえば、順方向ハンドオーバ）が望まれ得る。ソースセルとターゲットセルの両方、またはターゲットセルのみからハンドオーバコマンドを送ることは、ソースセルリンクが障害を起こしやすいとき、ＵＥがハンドオーバ情報を受信することの見込みを増加させる。ＵＥはキャリアアグリゲーションが可能であるので、ＵＥは、ソースセルとターゲットセルとからのハンドオーバコマンドを同時に復号することができる。
【００６６】
[0086]図１１は、キャリアアグリゲーション方式とともに使用するための別のＵＥモビリティプロシージャを示す図１１００である。図１１のＵＥモビリティプロシージャは、ソースセル（たとえば、１次サービングセル）とターゲットセル（たとえば、２次サービングセル）とによってアップリンク監視を改善し、したがってソースセルおよび／またはターゲットセルにおいて行われるハンドオーバ決定を改善する。ＵＥは、第１の無線機を介してソースセルと通信し、第２の無線機を介してターゲットセルと通信し得る。第１の無線機と第２の無線機は同じ周波数で動作し得る。図１１では、ＵＥモビリティプロシージャは、ソースセルとターゲットセルが、たとえば、Ｘ２バックホールを介して、ＵＥ情報をアクティブに交換することを可能にすることによって、さらに向上される。特に、ソースセルとターゲットセルの両方に関係するＣＱＩ報告（デュアルＣＱＩ）を受信すると、ソースセルは、Ｘ２を介してＵＥ情報を交換するためにターゲットセル（２次セル（ＳＣｅｌｌ））と協調すること（たとえば、ＳＣｅｌｌ協調）を始め得る。
【００６７】
[0087]ソースセルとターゲットセルは、アップリンク問題に対処するために情報を交換し得る。たとえば、ハンドオーバ障害はアップリンク障害に起因し得る（たとえば、ターゲットセルにおけるアップリンク通信は不十分であるが、ターゲットセルにおけるダウンリンク通信は十分である）。その結果、ソースセルは、ターゲットセルがアップリンクチャネル状態を決定するために、ＵＥに、ターゲットセルにＳＲＳを送るようにＵＥに要求するサウンディング基準信号（ＳＲＳ）要求メッセージ（たとえば、ＳＣｅｌｌ  ＳＲＳ構成メッセージ）を送り得る。ＵＥがＳＲＳ要求メッセージを受信するとき、ＵＥは、ターゲットセルに、ターゲットセルがアップリンクチャネル状態を決定することを可能にする１つまたは複数のＳＲＳを送り得る。図１１に示されるように、および図９に関して説明されたように、ソースセルは、ソースセルがソースセルとターゲットセルの両方についてＵＥにおけるダウンリンクチャネル状態を決定することを可能にする、ソースセルとターゲットセルの両方に関係する１つまたは複数のＣＱＩ報告（デュアルＣＱＩ）を受信する。特に、アップリンクチャネル状態についてのターゲットセルの知識、およびダウンリンクチャネル状態についてのソースセルの知識は、Ｘ２を介してソースセルとターゲットセルとの間で交換され得る。これは、ソースセルおよび／またはターゲットセルがソースセルからターゲットセルへのＵＥのハンドオーバに関するインフォームド決定を行うことを可能にする。
【００６８】
[0088]しばらくして、ソースセルおよび／またはターゲットセルは、デュアルＣＱＩ（ダウンリンクチャネル状態）とＳＲＳ（アップリンクチャネル状態）とに基づいてハンドオーバをトリガし得、ハンドオーバをネゴシエートするようにソースセルとターゲットセルとに促す。ハンドオーバが同意された後、ソースセルおよび／またはターゲットセルは、ＵＥにハンドオーバコマンドを送り得る。ハンドオーバコマンドを受信すると、ＵＥは、ターゲットセルとの接続を確立するためにターゲットセルとともにＲＡＣＨプロシージャを実行し得る。この手法は、たとえば、いずれかのリンクのＳＮＲがあまりに低いので、ソースセルリンクまたはターゲットセルリンクがハンドオーバ中に障害を起こすことの高い見込みがあり得るとき、有利であり得る。したがって、ソースセルとターゲットセルの両方からハンドオーバコマンドを送ることは、送信ダイバーシティを達成するために望まれ得、これは、ソースセルリンクまたはターゲットセルリンクが障害を起こしやすいとき、ＵＥがハンドオーバ情報を受信することの見込みを増加させる。ターゲットセルへのハンドオーバが完了したとき、ソースセルは、２次サービングセルと見なされるか、またはサービングセルのセットから削除され得、ターゲットセルは新しい１次サービングセルと見なされ得る。
【００６９】
[0089]図１２は、キャリアアグリゲーション方式とともに使用するためのまた別のＵＥモビリティプロシージャを示す図１２００である。図１２のＵＥモビリティプロシージャは、ハンドオーバがソースセル（たとえば、１次サービングセル）からより独立していることを可能にする。したがって、ソースセルが障害を起こすときでも（ダウンリンクまたはアップリンク）、ターゲットセル（たとえば、２次サービングセル）はハンドオーバ動作を完了し得る。ＵＥは、第１の無線機を介してソースセルと通信し、第２の無線機を介してターゲットセルと通信し得る。第１の無線機と第２の無線機は同じ周波数で動作し得る。図１２では、ＵＥモビリティプロシージャは、ターゲットセルがソースセルとターゲットセルの両方に関係するＣＱＩ報告（デュアルＣＱＩ）を受信することを可能にすることによって、さらに向上される。したがって、ソースセルとターゲットセルの両方がデュアルＣＱＩを受信し得る。
【００７０】
[0090]たとえば、ソースセルが、Ｘ２を介してＵＥ情報を交換するためにターゲットセル（ＳＣｅｌｌ）と協調した（たとえば、ＳＣｅｌｌ協調）後に、ターゲットセルは、ＵＥに、ターゲットセルにソースセルとターゲットセルの両方に関係するＣＱＩ報告（デュアルＣＱＩ）を送るようにＵＥに要求する非周期ＣＱＩ要求を送り得る。これは、ターゲットセルがソースセルリンクとターゲットセルリンクの両方のためのダウンリンクチャネル状態を決定することを可能にする。すべての周期ＣＱＩがソースセル（１次セル（ＰＣｅｌｌ））に送られ得る。したがって、ソースセルとターゲットセルは、デュアルＣＱＩに関する情報を交換するためにＸ２バックホールを利用する必要がない。したがって、ターゲットセルは、ソースセルからターゲットセルへのＵＥのハンドオーバに関するインフォームド決定を行い得る。その上、ソースセルリンクが障害を起こしても、ターゲットセルが、ＵＥに非周期ＣＱＩ要求を送った後に、ＵＥからデュアルＣＱＩを独立して受信し得るので、デュアルＣＱＩは失われない。
【００７１】
[0091]しばらくして、ソースセルおよび／またはターゲットセルは、デュアルＣＱＩ（ダウンリンクチャネル状態）に基づいてハンドオーバをトリガし得、ハンドオーバをネゴシエートするようにソースセルとターゲットセルとに促す。ハンドオーバが同意された後、ソースセルおよび／またはターゲットセルは、ＵＥにハンドオーバコマンドを送り得る。ハンドオーバコマンドを受信すると、ＵＥは、ターゲットセルとの接続を確立するためにターゲットセルとともにＲＡＣＨプロシージャを実行し得る。この手法は、たとえば、いずれかのリンクのＳＮＲがあまりに低いので、ソースセルリンクまたはターゲットセルリンクがハンドオーバ中に障害を起こすことの高い見込みがあり得るとき、有利であり得る。したがって、ソースセルとターゲットセルの両方からハンドオーバコマンドを送ることは、送信ダイバーシティを達成するために望まれ得、これは、ソースセルリンクまたはターゲットセルリンクが障害を起こしやすいとき、ＵＥがハンドオーバ情報を受信することの見込みを増加させる。ターゲットセルへのハンドオーバが完了したとき、ソースセルは、２次サービングセルと見なされるか、またはサービングセルのセットから削除され得、ターゲットセルは新しい１次サービングセルと見なされ得る。
【００７２】
[0092]図１３は、ワイヤレス通信の方法のフローチャート１３００である。本方法は、ソースセル（たとえば、１次サービングセル）からターゲットセル（たとえば、２次サービングセル）へのハンドオーバを可能にするＵＥによって実行され得る。ステップ１３０２において、ＵＥは、第１の無線機を介してソースセルと通信し得る。ソースセルのチャネル強度は減少していることがあり、ターゲットセルのチャネル強度は増加していることがある。
【００７３】
[0093]したがって、ステップ１３０４において、ターゲットセルのチャネル強度が増加するにつれて、ＵＥは、ターゲットセルの存在を検出し得る。その後、ステップ１３０６において、ＵＥは、ソースセルに、ターゲットセルの検出された存在を示すためのメッセージを送り得る。ステップ１３０７において、ＵＥは、ソースセル（１次サービングセル）から、ターゲットセルを２次サービングセルとして追加するようにとのコマンドを受信し得る。
【００７４】
[0094]ステップ１３０８において、ソースセルが、ＵＥがターゲットセルの存在を検出したことを知った後、ＵＥは、ソースセルから、ソースセルおよび／またはターゲットセルに関係するチャネル品質情報（ＣＱＩ）を報告するようにＵＥに要求するメッセージを受信し得る。ステップ１３１０において、ＵＥは、ターゲットセルと通信するために第２の無線機をアクティブ化し得る。ステップ１３１２において、ＵＥは、ターゲットセルへのハンドオーバを可能にするために第２の無線機を介してターゲットセルおよび／またはソースセルと通信する。第１の無線機と第２の無線機は同じ周波数で動作し得る。
【００７５】
[0095]一態様では、ＵＥは、ターゲットセルへのハンドオーバを可能にするために単一の無線機を介してソースセルおよびターゲットセルと通信し得る。そのような場合、ソースセルとのＵＥ通信は、ターゲットセルとのＵＥ通信と時分割多重化され得る。
【００７６】
[0096]さらなる態様では、ソースセルのダウンリンク制御チャネル（たとえば、ＰＤＣＣＨ）が、ターゲットセルダウンリンク送信をスケジュールするために使用されないことがある。その上、ソースセルに対するアップリンク制御チャネルが、ターゲットセルダウンリンク送信のアクノレッジを与えるために使用されないことがある。また、ソースセルに対するアップリンク制御チャネルは、ターゲットセルダウンリンク送信のためのチャネルサイド情報を与えるために使用されないことがある。チャネルサイド情報（ＣＳＩ：channel side information）は、ＣＱＩ、ランクインジケータ（ＲＩ：rank indicator）、プリコーディング行列インジケータ（ＰＭＩ：precoding matrix indicator）を含み得る。スケジューラが、上記送信の変調およびコーディング方式（ＭＣＳ：modulation and coding scheme）と、ランクと、電力とを決定するために、ＣＳＩを使用し得る。
【００７７】
[0097]ステップ１３１４において、ＵＥは、第２の無線機を介してターゲットセルに関係するＣＱＩを測定し得る。代替的に、単一の無線機のみが使用される場合、ＵＥは、単一の無線機を介してターゲットセルに関係するＣＱＩを測定する。ステップ１３１６において、ＵＥは、ソースセルに、ソースセルとターゲットセルとに関係するＣＱＩを報告し得る。ソースセルは、ハンドオーバ決定を行うために、報告されたＣＱＩを使用し得る。ソースセルが、ターゲットセルにＵＥをハンドオーバすることを決定するとき、ソースセルは、ハンドオーバをターゲットセルとネゴシエートする。その後、ステップ１３１８において、ＵＥは、ソースセルまたはターゲットセルのうちの少なくとも１つからハンドオーバコマンドを受信し得る。
【００７８】
[0098]代替的に、ＵＥが、ステップ１３１６においてソースセルとターゲットセルとに関係するＣＱＩを報告した後、本方法は、図１４のステップ１４０２またはステップ１４５０のいずれかに進み得る。
【００７９】
[0099]図１４に、ワイヤレス通信の方法のフローチャート１４００および１４５０を示す。フローチャート１４００および１４５０に示される方法は、図１３のステップ１３１６から生じる経路の択一的続きである。
【００８０】
[00100]フローチャート１４００を参照すると、ステップ１４０２において、ＵＥは、ソースセルから、ターゲットセルにサウンディング基準信号（ＳＲＳ）を送るようにＵＥに要求するメッセージを受信し得る。ステップ１４０４において、ＵＥは、ターゲットセルにＳＲＳを送り得る。ターゲットセルは、ハンドオーバ決定を行うためにＳＲＳを使用し得る。ターゲットセルが、ハンドオーバをソースセルとネゴシエートした後、ステップ１４０６において、ＵＥは、ターゲットセルに送られたＳＲＳ、またはソースセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【００８１】
[00101]フローチャート１４５０を参照すると、ＵＥは、ターゲットセルから、ターゲットセルにソースセルとターゲットセルとに関係するＣＱＩを報告するようにＵＥに要求するメッセージを受信し得る。ステップ１４５４において、ＵＥは、ターゲットセルに、ソースセルとターゲットセルとに関係するＣＱＩを報告する。ターゲットセルは、ハンドオーバ決定を行うために、報告されたＣＱＩを使用し得る。ターゲットセルが、ハンドオーバをソースセルとネゴシエートした後、ステップ１４５６において、ＵＥは、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【００８２】
[00102]代替的に、ＣＱＩがターゲットセルに報告された（ステップ１４５４）後、ステップ１４５８において、ＵＥは、ソースセルから、ターゲットセルにサウンディング基準信号（ＳＲＳ）を送るようにＵＥに要求するメッセージを受信し得る。ステップ１４６０において、ＵＥは、ターゲットセルにＳＲＳを送る。ターゲットセルは、ハンドオーバ決定を行うためにＳＲＳをさらに使用し得る。その後、ステップ１４５６において、ＵＥは、ターゲットセルに送られたＳＲＳ、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【００８３】
[00103]図１５は、ワイヤレス通信の方法のフローチャート１５００である。本方法は、ＵＥと通信するソースセル（たとえば、１次サービングセル）および／またはターゲットセル（たとえば、２次サービングセル）によって実行され得る。ステップ１５０２において、ソースセルは、第１の無線機を介してＵＥと通信し得る。ステップ１５０４において、ターゲットセルは、第２の無線機を介してＵＥと通信し得る。第１の無線機と第２の無線機は同じ周波数で動作し得る。その上、ソースセルのチャネル強度は減少していることがあり、ターゲットセルのチャネル強度は増加していることがある。
【００８４】
[00104]したがって、ステップ１５０６において、ソースセルは、ＵＥから、ターゲットセルの検出された存在を示すメッセージを受信し得る。それに応答して、ステップ１５０７において、ソースセルは、ＵＥに、ターゲットセルを２次サービングセルとして追加するようにＵＥに指令するメッセージを送る。１５０８において、ソースセルは、ＵＥに、ソースセルとターゲットセルとに関係するチャネル品質情報（ＣＱＩ）を報告するようにＵＥに要求するメッセージを送り得る。ソースセルは、ハンドオーバ決定を行うために、報告されたＣＱＩを使用し得る。
【００８５】
[00105]一態様では、ソースセルおよびターゲットセルは、単一の無線機を介してＵＥと通信し得る。そのような場合、ソースセルにおけるＵＥとの通信は、ターゲットセルにおけるＵＥとの通信と時分割多重化される。
【００８６】
[00106]さらなる態様では、ソースセルのダウンリンク制御チャネル（たとえば、ＰＤＣＣＨ）が、ターゲットセルダウンリンク送信をスケジュールするために使用されないことがある。その上、ソースセルに対するアップリンク制御チャネルが、ターゲットセルダウンリンク送信のアクノレッジを与えるために使用されないことがある。また、ソースセルに対するアップリンク制御チャネルは、ターゲットセルダウンリンク送信のためのチャネルサイド情報を与えるために使用されないことがある。チャネルサイド情報（ＣＳＩ）は、ＣＱＩ、ランクインジケータ（ＲＩ）、およびプリコーディング行列インジケータ（ＰＭＩ）を含み得る。スケジューラが、上記送信の変調およびコーディング方式（ＭＣＳ）と、ランクと、電力とを決定するために、ＣＳＩを使用し得る。
【００８７】
[00107]ステップ１５１０において、ソースセルは、ＵＥから、ソースセルとターゲットセルとに関係するＣＱＩを報告する報告を受信する。ステップ１５１２において、ソースセルは、受信された報告に基づいてターゲットセルへのハンドオーバを決定し得る。ハンドオーバが決定されたとき、ステップ１５１４において、ソースセルとターゲットセルはハンドオーバをネゴシエートし得る。また、ステップ１５１６において、ターゲットセルは、ＵＥにハンドオーバコマンドを送り得る。ソースセルも、ターゲットセルから送られたハンドオーバコマンドとは別個に、ＵＥにハンドオーバコマンドを送り得る。
【００８８】
[00108]代替的に、ソースセルがステップ１５１０においてＣＱＩ報告を受信した後、本方法は、図１６のステップ１６０２またはステップ１６５０のいずれかに進み得る。
【００８９】
[00109]図１６に、ワイヤレス通信の方法のフローチャート１６００および１６５０を示す。フローチャート１６００および１６５０に示される方法は、図１５のステップ１５１０から生じる経路の択一的続きである。
【００９０】
[00110]フローチャート１６００を参照すると、ステップ１６０２において、ソースセルは、ＵＥに、ターゲットセルにサウンディング基準信号（ＳＲＳ）を送るようにＵＥに要求するメッセージを送り得る。ステップ１６０４において、ターゲットセルは、ＵＥからＳＲＳを受信する。ステップ１６０６において、ターゲットセルへのハンドオーバが、ソースセルとターゲットセルとに関係するＣＱＩを報告するソースセルにおいて受信された報告、またはターゲットセルにおいて受信されたＳＲＳのうちの少なくとも１つに基づいて、決定される。ステップ１６０８において、ハンドオーバコマンドが、ソースセルとターゲットセルとに関係するＣＱＩを報告するソースセルにおいて受信された報告、またはターゲットセルにおいて受信されたＳＲＳのうちの少なくとも１つに基づいて、ソースセルまたはターゲットセルのうちの少なくとも１つからＵＥに送られる。
【００９１】
[00111]フローチャート１６５０を参照すると、ステップ１６５２において、ターゲットセルは、ＵＥに、ターゲットセルにソースセルとターゲットセルとに関係するＣＱＩを報告するようにＵＥに要求するメッセージを送る。ステップ１６５４において、ターゲットセルは、ＵＥから、ソースセルとターゲットセルとに関係するＣＱＩを報告する報告を受信する。ステップ１６５６において、ターゲットセルへのハンドオーバが、ソースセルとターゲットセルとに関係するＣＱＩを報告するソースセルにおいて受信された報告、またはソースセルとターゲットセルとに関係するＣＱＩを報告するターゲットセルにおいて受信された報告のうちの少なくとも１つに基づいて、決定される。ステップ１６５８において、ハンドオーバコマンドが、ソースセルとターゲットセルとに関係するＣＱＩを報告するソースセルにおいて受信された報告、またはソースセルとターゲットセルとに関係するＣＱＩを報告するターゲットセルにおいて受信された報告のうちの少なくとも１つに基づいて、ソースセルまたはターゲットセルのうちの少なくとも１つからＵＥに送られる。
【００９２】
[00112]代替的に、ターゲットセルがＣＱＩ報告を受信した（ステップ１６５４）後、ステップ１６６０において、ソースセルは、ＵＥに、ターゲットセルにサウンディング基準信号（ＳＲＳ）を送るようにＵＥに要求するメッセージを送り得る。ステップ１６６２において、ターゲットセルは、ＵＥからＳＲＳを受信する。ステップ１６５６において、ターゲットセルは、受信されたＳＲＳにさらに基づいてハンドオーバを決定し得る。ステップ１６５８において、ソースセルまたはターゲットセルのうちの少なくとも１つからのハンドオーバコマンドが、ソースセルとターゲットセルとに関係するＣＱＩを報告するソースセルにおいて受信された報告、ソースセルとターゲットセルとに関係するＣＱＩを報告するターゲットセルにおいて受信された報告、またはターゲットセルにおいて受信されたＳＲＳのうちの少なくとも１つに基づいて、ＵＥに送られ得る。
【００９３】
[00113]図１７は、ワイヤレス通信の方法のフローチャート１７００である。本方法は、１次サービングセルと２次サービングセルとからデータを受信するためのＵＥによって実行され得る。ステップ１７０２において、ＵＥは、１次セルまたは２次セルのうちの少なくとも１つに能力メッセージを送る。能力メッセージは、１次サービングセルに対応する第１のコンポーネントキャリアと２次サービングセルに対応する第２のコンポーネントキャリアとを介して通信する能力を示し得、ここにおいて、第１のコンポーネントキャリアと第２のコンポーネントキャリアは同じ周波数で動作する。
【００９４】
[00114]ステップ１７０４において、ＵＥは、第１のコンポーネントキャリアを介して１次サービングセルと通信する。ステップ１７０６において、ＵＥは、第２のコンポーネントキャリアを介して２次サービングセルと通信する。ステップ１７０８において、ＵＥは、１次サービングセルと２次サービングセルの両方からデータサンプルを受信する。一態様では、データサンプルは、データサンプルが、第１のコンポーネントキャリアと第２のコンポーネントキャリアの両方を介して同時に受信することが可能なベースバンド受信機を介して同時に受信されるとき、１次サービングセルと２次サービングセルの両方から同時に受信される。
【００９５】
[00115]さらなる態様では、能力メッセージは、ベースバンド受信機が、第１のコンポーネントキャリアと第２のコンポーネントキャリアの両方を介して同時に受信することが可能であるかどうかを示し得る。ベースバンド受信機が、第１のコンポーネントキャリアと第２のコンポーネントキャリアの両方を介して同時に受信することができないとき、ＵＥは、１次サービングセルと２次サービングセルとからのデータサンプルが時分割多重化されるとき、非同時様式で１次サービングセルと２次サービングセルとからデータサンプルを受信し得る。
【００９６】
[00116]ステップ１７１０において、ＵＥは、同じ周波数で動作している第１のコンポーネントキャリアと第２のコンポーネントキャリアとを介した同時送信を無力にし得る。１次サービングセルおよび２次サービングセルと通信することは、単一の無線機または複数の無線機を介して実施され得る。
【００９７】
[00117]図１８は、例示的な装置１８０２中の異なるモジュール／手段／構成要素間のデータフローを示す概念データフロー図１８００である。本装置はＵＥであり得る。本装置は、受信モジュール１８０４と、セル通信モジュール１８０６と、セル存在検出モジュール１８０８と、チャネル品質情報（ＣＱＩ）モジュール１８１０と、ハンドオーバ処理モジュール１８１２と、サウンディング基準信号（ＳＲＳ）モジュール１８１４と、送信モジュール１８１４とを含む。図１８では、基地局１８５０がソースセルまたはターゲットセルを表し得る。
【００９８】
[00118]セル通信モジュール１８０６は、第１の無線機を介してソースセル（たとえば、１次サービングセル）と通信し得る。ソースセルのチャネル強度は減少していることがあり、ターゲットセル（たとえば、２次サービングセル）のチャネル強度は増加していることがある。したがって、ターゲットセルのチャネル強度が増加するにつれて、セル存在検出モジュール１８０８は、ターゲットセルの存在を検出し得る。その後、セル存在検出モジュール１８０８は、送信モジュール１８１４を介してソースセルに、ターゲットセルの検出された存在を示すためのメッセージを送り得る。
【００９９】
[00119]ソースセルが、装置１８０２がターゲットセルの存在を検出したことを知った後、セル通信モジュール１８０６は、ソースセル（１次サービングセル）から、ターゲットセルを２次サービングセルとして追加するようにとのコマンドを受信し得る。ＣＱＩモジュール１８１０は、ソースセルから、ソースセルおよび／またはターゲットセルに関係するチャネル品質情報（ＣＱＩ）を報告するように装置１８０２に要求するメッセージを受信し得る。セル通信モジュール１８０６は、ターゲットセルと通信するために第２の無線機をアクティブ化し得る。セル通信モジュール１８０６は、ターゲットセルへのハンドオーバを可能にするために第２の無線機を介してターゲットセルおよび／またはソースセルと通信する。第１の無線機と第２の無線機は同じ周波数で動作し得る。
【０１００】
[00120]１態様では、装置１８０２は、ターゲットセルへのハンドオーバを可能にするために単一の無線機を介してソースセルおよびターゲットセルと通信し得る。そのような場合、ソースセルとの通信は、ターゲットセルとの通信と時分割多重化され得る。
【０１０１】
[00121]さらなる態様では、ソースセルのダウンリンク制御チャネル（たとえば、ＰＤＣＣＨ）が、ターゲットセルダウンリンク送信をスケジュールするために使用されないことがある。その上、ソースセルに対するアップリンク制御チャネルが、ターゲットセルダウンリンク送信のアクノレッジを与えるために使用されないことがある。また、ソースセルに対するアップリンク制御チャネルは、ターゲットセルダウンリンク送信のためのチャネルサイド情報を与えるために使用されないことがある。チャネルサイド情報（ＣＳＩ）は、ＣＱＩ、ランクインジケータ（ＲＩ）、プリコーディング行列インジケータ（ＰＭＩ）を含み得る。スケジューラが、上記送信の変調およびコーディング方式（ＭＣＳ）と、ランクと、電力とを決定するために、ＣＳＩを使用し得る。
【０１０２】
[00122]ＣＱＩモジュール１８１０は、第２の無線機を介してターゲットセルに関係するＣＱＩを測定し得る。ＣＱＩモジュール１８１０は、ソースセルに、ソースセルとターゲットセルとに関係するＣＱＩを報告し得る。ソースセルは、ハンドオーバ決定を行うために、報告されたＣＱＩを使用し得る。ソースセルが、ターゲットセルにＵＥをハンドオーバすることを決定するとき、ソースセルは、ハンドオーバをターゲットセルとネゴシエートする。その後、ハンドオーバ処理モジュール１８１２は、ソースセルまたはターゲットセルのうちの少なくとも１つからハンドオーバコマンドを受信し得る。
【０１０３】
[00123]代替的に、ＣＱＩモジュール１８１０が、ソースセルとターゲットセルとに関係するＣＱＩを報告した後、ＳＲＳモジュール１８１４は、ソースセルから、ターゲットセルにサウンディング基準信号（ＳＲＳ）を送るように装置１８０２に要求するメッセージを受信し得る。ＳＲＳモジュール１８１４は、ターゲットセルにＳＲＳを送り得る。ターゲットセルは、ハンドオーバ決定を行うためにＳＲＳを使用し得る。ターゲットセルが、ハンドオーバをソースセルとネゴシエートした後、ハンドオーバ処理モジュール１８１２は、ターゲットセルに送られたＳＲＳ、またはソースセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【０１０４】
[00124]別の代替では、ＣＱＩモジュール１８１０が、ソースセルとターゲットセルとに関係するＣＱＩを報告した後、ＣＱＩモジュール１８１０は、ターゲットセルから、ターゲットセルにソースセルとターゲットセルとに関係するＣＱＩを報告するようにＵＥに要求するメッセージを受信し得る。ＣＱＩモジュール１８１０は、ターゲットセルに、ソースセルとターゲットセルとに関係するＣＱＩを報告する。ターゲットセルは、ハンドオーバ決定を行うために、報告されたＣＱＩを使用し得る。ターゲットセルが、ハンドオーバをソースセルとネゴシエートした後、ハンドオーバ処理モジュール１８１２は、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【０１０５】
[00125]ＣＱＩがターゲットセルに報告された後、ＳＲＳモジュール１８１４は、ソースセルから、ターゲットセルにサウンディング基準信号（ＳＲＳ）を送るように装置１８０２に要求するメッセージを受信し得る。ＳＲＳモジュール１８１４は、ターゲットセルにＳＲＳを送る。ターゲットセルは、ハンドオーバ決定を行うためにＳＲＳをさらに使用し得る。その後、ハンドオーバ処理モジュール１８１２は、ターゲットセルに送られたＳＲＳ、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信し得る。
【０１０６】
[00126]セル通信モジュール１８０６は、１次セルまたは２次セルのうちの少なくとも１つに能力メッセージを送る。能力メッセージは、１次セルに対応する第１のコンポーネントキャリアと２次セルに対応する第２のコンポーネントキャリアとを介して通信する能力を示し得、ここにおいて、第１のコンポーネントキャリアと第２のコンポーネントキャリアは同じ周波数で動作する。
【０１０７】
[00127]セル通信モジュール１８０６は、第１のコンポーネントキャリアを介して１次セルと、および第２のコンポーネントキャリアを介して２次セルと、通信する。受信モジュール１８０４は、１次セルと２次セルの両方からデータサンプルを受信する。一態様では、データサンプルは、データサンプルが、第１のコンポーネントキャリアと第２のコンポーネントキャリアの両方を介して同時に受信することが可能なベースバンド受信機を介して同時に受信されるとき、１次セルと２次セルの両方から同時に受信される。
【０１０８】
[00128]さらなる態様では、能力メッセージは、ベースバンド受信機が、第１のコンポーネントキャリアと第２のコンポーネントキャリアの両方を介して同時に受信することが可能であるかどうかを示し得る。ベースバンド受信機が、第１のコンポーネントキャリアと第２のコンポーネントキャリアの両方を介して同時に受信することができないとき、受信モジュール１８０６は、１次セルと２次セルとからのデータサンプルが時分割多重化されるとき、非同時様式で１次セルと２次セルとからデータサンプルを受信し得る。
【０１０９】
[00129]送信モジュール１８１６は、同じ周波数で動作している第１のコンポーネントキャリアと第２のコンポーネントキャリアとを介した同時送信を無力にし得る。１次セルおよび２次セルと通信することは、単一の無線機または複数の無線機を介して実施され得る。
【０１１０】
[00130]図１９は、例示的な装置１９０２中の異なるモジュール／手段／構成要素間のデータフローを示す概念データフロー図１９００である。本装置はソースｅＮＢ（たとえば、１次サービングセル）および／またはターゲットｅＮＢ（たとえば、２次サービングセル）であり得る。本装置は、受信モジュール１９０４と、ＵＥ通信モジュール１９０６と、セル存在処理モジュール１９０８と、チャネル品質情報（ＣＱＩ）モジュールと、ハンドオーバ処理モジュール１９１２と、サウンディング基準信号（ＳＲＳ）モジュール１９１４と、送信モジュール１９１６とを含む。
【０１１１】
[00131]ソースｅＮＢのＵＥ通信モジュール１９０６は、第１の無線機を介してＵＥ１９５０と通信し得る。ターゲットｅＮＢのＵＥ通信モジュール１９０６は、第２の無線機を介してＵＥと通信し得る。第１の無線機と第２の無線機は同じ周波数で動作し得る。その上、ソースｅＮＢのチャネル強度は減少していることがあり、ターゲットｅＮＢのチャネル強度は増加していることがある。
【０１１２】
[00132]したがって、ソースｅＮＢのセル存在処理モジュール１９０８は、ＵＥ１９５０から、ターゲットｅＮＢの検出された存在を示すメッセージを受信し得る。それに応答して、ソースｅＮＢのＵＥ通信モジュール１９０６は、ＵＥ１９５０に、ターゲットｅＮＢを２次サービングセルとして追加するようにＵＥ１９５０に指令するメッセージを送り得る。ソースｅＮＢのＣＱＩモジュール１９１０は、ＵＥ１９５０に、ソースｅＮＢとターゲットｅＮＢとに関係するチャネル品質情報（ＣＱＩ）を報告するようにＵＥ１９５０に要求するメッセージを送り得る。ソースｅＮＢのハンドオーバ処理モジュール１９１２は、ハンドオーバ決定を行うために、報告されたＣＱＩを使用し得る。
【０１１３】
[00133]１態様では、ソースｅＮＢのＵＥ通信モジュール１９０６およびターゲットｅＮＢのＵＥ通信モジュール１９０６は、単一の無線機を介してＵＥ１９５０と通信し得る。そのような場合、ソースｅＮＢにおけるＵＥ１９５０との通信は、ターゲットｅＮＢにおけるＵＥとの通信と時分割多重化される。
【０１１４】
[00134]さらなる態様では、ソースｅＮＢのダウンリンク制御チャネル（たとえば、ＰＤＣＣＨ）が、ターゲットｅＮＢダウンリンク送信をスケジュールするために使用されないことがある。その上、ソースｅＮＢに対するアップリンク制御チャネルが、ターゲットｅＮＢダウンリンク送信のアクノレッジを与えるために使用されないことがある。また、ソースｅＮＢに対するアップリンク制御チャネルは、ターゲットｅＮＢダウンリンク送信のためのチャネルサイド情報を与えるために使用されないことがある。チャネルサイド情報（ＣＳＩ）は、ＣＱＩ、ランクインジケータ（ＲＩ）、プリコーディング行列インジケータ（ＰＭＩ）を含み得る。スケジューラが、上記送信の変調およびコーディング方式（ＭＣＳ）と、ランクと、電力とを決定するために、ＣＳＩを使用し得る。
【０１１５】
[00135]ソースｅＮＢのＣＱＩモジュール１９１０は、ＵＥ１９５０から、ソースｅＮＢとターゲットｅＮＢとに関係するＣＱＩを報告する報告を受信する。ソースｅＮＢのハンドオーバ処理モジュール１９１２は、受信された報告に基づいてターゲットｅＮＢへのハンドオーバを決定し得る。ハンドオーバが決定されたとき、ソースｅＮＢとターゲットｅＮＢはハンドオーバをネゴシエートし得る。ターゲットｅＮＢのハンドオーバ処理モジュール１９１２は、ＵＥ１９５０にハンドオーバコマンドを送り得る。ソースｅＮＢのハンドオーバ処理モジュール１９１２も、ターゲットｅＮＢから送られたハンドオーバコマンドとは別個に、ＵＥ１９５０にハンドオーバコマンドを送り得る。
【０１１６】
[00136]代替的に、ソースｅＮＢのＣＱＩモジュール１９１０がＣＱＩ報告を受信した後、ソースｅＮＢのＳＲＳモジュール１９１４は、ＵＥ１９５０に、ターゲットｅＮＢにサウンディング基準信号（ＳＲＳ）を送るようにＵＥ１９５０に要求するメッセージを送り得る。ターゲットｅＮＢのＳＲＳモジュール１９１４は、ＵＥ１９５０からＳＲＳを受信する。ターゲットｅＮＢへのハンドオーバが、ソースｅＮＢとターゲットｅＮＢとに関係するＣＱＩを報告するソースｅＮＢにおいて受信された報告、またはターゲットｅＮＢにおいて受信されたＳＲＳのうちの少なくとも１つに基づいて、ハンドオーバ処理モジュール１９１２によって決定される。ハンドオーバ処理モジュール１９１２は、ソースｅＮＢとターゲットｅＮＢとに関係するＣＱＩを報告するソースｅＮＢにおいて受信された報告、またはターゲットｅＮＢにおいて受信されたＳＲＳのうちの少なくとも１つに基づいて、ソースｅＮＢまたはターゲットｅＮＢのうちの少なくとも１つからＵＥにハンドオーバコマンドを送る。
【０１１７】
[00137]別の代替では、ソースｅＮＢのＣＱＩモジュール１９１０がＣＱＩ報告を受信した後、ターゲットｅＮＢのＣＱＩモジュール１９１０は、ＵＥ１９５０に、ターゲットｅＮＢにソースｅＮＢとターゲットｅＮＢとに関係するＣＱＩを報告するようにＵＥ１９５０に要求するメッセージを送る。ターゲットｅＮＢのＣＱＩモジュール１９１０は、ＵＥ１９５０から、ソースｅＮＢとターゲットｅＮＢとに関係するＣＱＩを報告する報告を受信する。ターゲットｅＮＢへのハンドオーバが、ソースｅＮＢとターゲットｅＮＢとに関係するＣＱＩを報告するソースｅＮＢにおいて受信された報告、またはソースｅＮＢとターゲットｅＮＢとに関係するＣＱＩを報告するターゲットｅＮＢにおいて受信された報告のうちの少なくとも１つに基づいて、ハンドオーバ処理モジュール１９１２によって決定される。ハンドオーバ処理モジュール１９１２は、ソースｅＮＢとターゲットｅＮＢとに関係するＣＱＩを報告するソースｅＮＢにおいて受信された報告、またはソースｅＮＢとターゲットｅＮＢとに関係するＣＱＩを報告するターゲットｅＮＢにおいて受信された報告のうちの少なくとも１つに基づいて、ソースｅＮＢまたはターゲットｅＮＢのうちの少なくとも１つからＵＥ１９５０にハンドオーバコマンドを送る。
【０１１８】
[00138]ターゲットｅＮＢのＣＱＩモジュール１９１０がＣＱＩ報告を受信した後、ソースｅＮＢのＳＲＳモジュール１９１４は、代替的に、ＵＥ１９５０に、ターゲットｅＮＢにサウンディング基準信号（ＳＲＳ）を送るようにＵＥ１９５０に要求するメッセージを送り得る。ターゲットｅＮＢのＳＲＳモジュール１９１４は、ＵＥ１９５０からＳＲＳを受信する。ターゲットｅＮＢのハンドオーバ処理モジュール１９１２は、受信されたＳＲＳにさらに基づいてハンドオーバを決定し得る。ハンドオーバ処理モジュール１９１２は、ソースｅＮＢとターゲットｅＮＢとに関係するＣＱＩを報告するソースｅＮＢにおいて受信された報告、ソースｅＮＢとターゲットｅＮＢとに関係するＣＱＩを報告するターゲットｅＮＢにおいて受信された報告、またはターゲットｅＮＢにおいて受信されたＳＲＳのうちの少なくとも１つに基づいて、ソースｅＮＢまたはターゲットｅＮＢのうちの少なくとも１つからＵＥ１９５０にハンドオーバコマンドを送り得る。
【０１１９】
[00139]本装置は、図１３〜図１７の上述のフローチャート中のアルゴリズムのステップの各々を実行する追加のモジュールを含み得る。したがって、図１３〜図１７の上述のフローチャート中の各ステップは１つのモジュールによって実行され得、本装置は、それらのモジュールのうちの１つまたは複数を含み得る。それらのモジュールは、述べられたプロセス／アルゴリズムを行うために特に構成された１つまたは複数のハードウェア構成要素であるか、述べられたプロセス／アルゴリズムを実行するために構成されたプロセッサによって実施されるか、プロセッサによる実施のためにコンピュータ可読媒体内に記憶されるか、またはそれらの何らかの組合せであり得る。
【０１２０】
[00140]図２０は、処理システム２０１４を採用する装置１８０２’のためのハードウェア実施形態の一例を示す図２０００である。処理システム２０１４は、バス２０２４によって概略的に表されるバスアーキテクチャを用いて実施され得る。バス２０２４は、処理システム２０１４の特定の適用例および全体的な設計制約に応じて、任意の数の相互接続バスおよびブリッジを含み得る。バス２０２４は、プロセッサ２００４によって表される１つまたは複数のプロセッサおよび／またはハードウェアモジュールと、モジュール１８０４、１８０６、１８０８、１８１０、１８１２、１８１４、１８１６と、コンピュータ可読媒体２００６とを含む様々な回路を互いにリンクする。バス２０２４はまた、タイミングソース、周辺機器、電圧調整器、および電力管理回路など、様々な他の回路をリンクし得るが、これらの回路は当技術分野においてよく知られており、したがって、これ以上説明されない。
【０１２１】
[00141]処理システム２０１４はトランシーバ２０１０に結合され得る。トランシーバ２０１０は１つまたは複数のアンテナ２０２０に結合される。トランシーバ２０１０は、伝送媒体を介して様々な他の装置と通信するための手段を与える。処理システム２０１４は、コンピュータ可読媒体２００６に結合されたプロセッサ２００４を含む。プロセッサ２００４は、コンピュータ可読媒体２００６に記憶されたソフトウェアの実行を含む一般的な処理を担当する。ソフトウェアは、プロセッサ２００４によって実行されたとき、処理システム２０１４に、特定の装置のための上記で説明された様々な機能を実行させる。コンピュータ可読媒体２００６はまた、ソフトウェアを実行するときにプロセッサ２００４によって操作されるデータを記憶するために使用され得る。処理システムは、モジュール１８０４、１８０６、１８０８、１８１０、１８１２、１８１４、および１８１６のうちの少なくとも１つをさらに含む。それらのモジュールは、プロセッサ２００４中で動作し、コンピュータ可読媒体２００６中に常駐する／記憶された、ソフトウェアモジュールであるか、プロセッサ２００４に結合された１つまたは複数のハードウェアモジュールであるか、またはそれらの何らかの組合せであり得る。処理システム２０１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１２２】
[00142]１構成では、ワイヤレス通信のための装置１８０２／１８０２’は、第１の無線機を介してソースセルと通信するための手段と、ターゲットセルへのハンドオーバを可能にするために第２の無線機を介してソースセルまたはターゲットセルのうちの少なくとも１つと通信するための手段と、第１の無線機と第２の無線機が同じ周波数で動作する、ターゲットセルの存在を検出するための手段と、ソースセルに、ターゲットセルの検出された存在を示す第１のメッセージを送るための手段と、ソースセルから、ターゲットセルを２次サービングセルとして追加するようにとのコマンドを受信するための手段と、ソースセルから第２のメッセージを受信するための手段と、第２のメッセージが、ソースセルとターゲットセルとに関係するチャネル品質情報（ＣＱＩ）を報告することの要求報告することの要求を含む、ターゲットセルと通信するために第２の無線機をアクティブ化するための手段と、第２の無線機を介してターゲットセルに関係するＣＱＩを測定するための手段と、ソースセルに、ソースセルとターゲットセルとに関係するＣＱＩを報告するための手段と、ソースセルまたはターゲットセルのうちの少なくとも１つからハンドオーバコマンドを受信するための手段と、第２の無線機を介してターゲットセルに関係するＣＱＩを測定するための手段と、ソースセルに、ソースセルとターゲットセルとに関係するＣＱＩを報告するための手段と、ソースセルから第３のメッセージを受信するための手段と、第３のメッセージが、ターゲットセルにサウンディング基準信号（ＳＲＳ）を送ることの要求送ることの要求を含む、ターゲットセルにＳＲＳを送るための手段と、ＳＲＳ、およびソースセルとターゲットセルとに関係するＣＱＩが、ターゲットセルへのハンドオーバを決定するために使用される、ターゲットセルに送られたＳＲＳ、またはソースセルに報告されたソースセルとターゲットセルとに関係するＣＱＩのうちの少なくとも１つに基づいて、ソースセルまたはターゲットセルのうちの少なくとも１つからハンドオーバコマンドを受信するための手段と、第２の無線機を介してターゲットセルに関係するＣＱＩを測定するための手段と、ソースセルに、ソースセルとターゲットセルとに関係するＣＱＩを報告するための手段と、ターゲットセルから第３のメッセージを受信するための手段と、第３のメッセージが、ターゲットセルにソースセルとターゲットセルとに関係するＣＱＩを報告することの要求報告することの要求を含む、ターゲットセルに、ソースセルとターゲットセルとに関係するＣＱＩを報告するための手段と、ソースセルとターゲットセルとに関係するＣＱＩが、ターゲットセルへのハンドオーバを決定するために使用される、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信するための手段と、ソースセルから第４のメッセージを受信するための手段と、第４のメッセージが、ターゲットセルにサウンディング基準信号（ＳＲＳ）を送ることの要求��ることの要求を含む、ターゲットセルにＳＲＳを送るための手段と、ＳＲＳが、ターゲットセルへのハンドオーバを決定するためにさらに使用される、ターゲットセルに送られたＳＲＳ、ソースセルに報告されたソースセルとターゲットセルとに関係するＣＱＩ、またはターゲットセルに報告されたソースセルとターゲットセルとに関係するＣＱＩのうちの少なくとも１つに基づいて、ソースセルまたはターゲットセルのうちの少なくとも１つからハンドオーバコマンドを受信するための手段と、第１のコンポーネントキャリアを介して１次セルと通信するための手段と、第２のコンポーネントキャリアを介して２次セルと通信するための手段と、第１のコンポーネントキャリアと第２のコンポーネントキャリアが同じ周波数で動作する、１次セルと２次セルの両方からデータサンプルを受信するための手段と、同じ周波数で動作している第１のコンポーネントキャリアと第２のコンポーネントキャリアとを介した同時送信を無力にするための手段と、１次セルまたは２次セルのうちの少なくとも１つに能力メッセージを送るための手段と、能力メッセージが、同じ周波数で動作している第１のコンポーネントキャリアと第２のコンポーネントキャリアとを介して通信する能力を示す、１次セルまたは２次セルのうちの少なくとも１つに能力メッセージを送るための手段と、能力メッセージは、ベースバンド受信機が、第１のコンポーネントキャリアと第２のコンポーネントキャリアの両方を介して同時に受信することができるかどうかを示す、ベースバンド受信機が、第１のコンポーネントキャリアと第２のコンポーネントキャリアの両方を介して同時に受信することができないとき、および、１次セルと２次セルとからのデータサンプルが時分割多重化されるとき、非同時様式で１次セルと２次セルの両方からデータサンプルを受信するための手段とを含む。
【０１２３】
[00143]上述の手段は、上述の手段によって具陳された機能を実行するために構成された、装置１８０２、および／または装置１８０２’の処理システム２０１４の上述のモジュールのうちの１つまたは複数であり得る。上記で説明されたように、処理システム２０１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するために構成された、ＴＸプロセッサ６６８と、ＲＸプロセッサ６５６と、コントローラ／プロセッサ６５９とであり得る。
【０１２４】
[00144]図２１は、処理システム２１１４を採用する装置１９０２’のためのハードウェア実施形態の一例を示す図２１００である。処理システム２１１４は、バス２１２４によって概略的に表されるバスアーキテクチャを用いて実施され得る。バス２１２４は、処理システム２１１４の特定の適用例および全体的な設計制約に応じて、任意の数の相互接続バスおよびブリッジを含み得る。バス２１２４は、プロセッサ２１０４によって表される１つまたは複数のプロセッサおよび／またはハードウェアモジュールと、モジュール１９０４、１９０６、１９０８、１９１０、１９１２、１９１４、１９１６と、コンピュータ可読媒体２１０６とを含む様々な回路を互いにリンクする。バス２１２４はまた、タイミングソース、周辺機器、電圧調整器、および電力管理回路など、様々な他の回路をリンクし得るが、これらの回路は当技術分野においてよく知られており、したがって、これ以上説明されない。
【０１２５】
[00145]処理システム２１１４はトランシーバ２１１０に結合され得る。トランシーバ２１１０は１つまたは複数のアンテナ２１２０に結合される。トランシーバ２１１０は、伝送媒体を介して様々な他の装置と通信するための手段を与える。処理システム２１１４は、コンピュータ可読媒体２１０６に結合されたプロセッサ２１０４を含む。プロセッサ２１０４は、コンピュータ可読媒体２１０６に記憶されたソフトウェアの実行を含む一般的な処理を担当する。ソフトウェアは、プロセッサ２１０４によって実行されたとき、処理システム２１１４に、特定の装置のための上記で説明された様々な機能を実行させる。コンピュータ可読媒体２１０６はまた、ソフトウェアを実行するときにプロセッサ２１０４によって操作されるデータを記憶するために使用され得る。処理システムは、モジュール１９０４、１９０６、１９０８、１９１０、１９１２、１９１４、および１９１６のうちの少なくとも１つをさらに含む。それらのモジュールは、プロセッサ２１０４中で動作し、コンピュータ可読媒体２１０６中に常駐する／記憶された、ソフトウェアモジュールであるか、プロセッサ２１０４に結合された１つまたは複数のハードウェアモジュールであるか、またはそれらの何らかの組合せであり得る。処理システム２１１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１２６】
[00146]一構成では、ワイヤレス通信のための装置１９０２／１９０２’は、ソースセルにおいて第１の無線機を介してユーザ機器（ＵＥ）と通信するための手段と、ターゲットセルにおいて第２の無線機を介してＵＥと通信するための手段と、ソースセルにおいて、ＵＥから、ターゲットセルの検出された存在を示す第１のメッセージを受信するための手段と、ソースセルからＵＥに第２のメッセージを送るための手段と、第２のメッセージが、ターゲットセルを２次サービングセルとして追加するようにとのコマンドを含む、ソースセルからＵＥに、ソースセルとターゲットセルとに関係するチャネル品質情報（ＣＱＩ）を報告することの要求報告することの要求を送るための手段と、ソースセルにおいて、ＵＥから、ソースセルとターゲットセルとに関係するＣＱＩを報告する報告を受信するための手段と、ソースセルにおいて、受信された報告に基づいてターゲットセルへのハンドオーバを決定するための手段と、ソースセルとターゲットセルとの間でハンドオーバをネゴシエートするための手段と、ハンドオーバをネゴシエートすると、ＵＥに、ターゲットセルからハンドオーバコマンドを送るための手段と、ターゲットセルから送られたハンドオーバコマンドとは別個に、ＵＥに、ソースセルからハンドオーバコマンドを送るための手段と、ソースセルにおいて、ＵＥから、ソースセルとターゲットセルとに関係するＣＱＩを報告する報告を受信するための手段と、ソースセルからＵＥに第３のメッセージを送るための手段と、第３のメッセージが、ターゲットセルにサウンディング基準信号（ＳＲＳ）を送ることの要求送ることの要求を含む、ターゲットセルにおいて、ＵＥからＳＲＳを受信するための手段と、ソースセルとターゲットセルとに関係するＣＱＩを報告するソースセルにおいて受信された報告、またはターゲットセルにおいて受信されたＳＲＳのうちの少なくとも１つに基づいて、ターゲットセルへのハンドオーバを決定するための手段と、ソースセルとターゲットセルとに関係するＣＱＩを報告するソースセルにおいて受信された報告、またはターゲットセルにおいて受信されたＳＲＳのうちの少なくとも１つに基づいて、ソースセルまたはターゲットセルのうちの少なくとも１つからハンドオーバコマンドを送るための手段と、ソースセルにおいて、ＵＥから、ソースセルとターゲットセルとに関係するＣＱＩを報告する報告を受信するための手段と、ターゲットセルからＵＥに第３のメッセージを送るための手段と、第３のメッセージが、ターゲットセルにソースセルとターゲットセルとに関係するＣＱＩを報告することの要求報告することの要求を含む、ターゲットセルにおいて、ＵＥから、ソースセルとターゲットセルとに関係するＣＱＩを報告する報告を受信するための手段と、ソースセルとターゲットセルとに関係するＣＱＩを報告するソースセルにおいて受信された報告、またはソースセルとターゲットセルとに関係するＣＱＩを報告するターゲットセルにおいて受信された報告のうちの少なくとも１つに基づいて、ターゲットセルへのハンドオーバを決定するための手段と、ソースセルとターゲットセルとに関係するＣＱＩを報告するソースセルにおいて受信された報告、またはソース��ルとターゲットセルとに関係するＣＱＩを報告するターゲットセルにおいて受信された報告のうちの少なくとも１つに基づいて、ソースセルまたはターゲットセルのうちの少なくとも１つからハンドオーバコマンドを送るための手段と、ソースセルからＵＥに第４のメッセージを送るための手段と、第４のメッセージが、ターゲットセルにサウンディング基準信号（ＳＲＳ）を送ることの要求送ることの要求を含む、ターゲットセルにおいて、ＵＥからＳＲＳを受信するための手段と、ターゲットセルにおいて受信されたＳＲＳにさらに基づいてターゲットセルへのハンドオーバを決定するための手段と、ソースセルとターゲットセルとに関係するＣＱＩを報告するソースセルにおいて受信された報告、ソースセルとターゲットセルとに関係するＣＱＩを報告するターゲットセルにおいて受信された報告、またはターゲットセルにおいて受信されたＳＲＳのうちの少なくとも１つに基づいて、ソースセルまたはターゲットセルのうちの少なくとも１つからハンドオーバコマンドを送るための手段とを含む。
【０１２７】
[00147]上述の手段は、上述の手段によって具陳された機能を実行するために構成された、装置１９０２、および／または装置１９０２’の処理システム２１１４の上述のモジュールのうちの１つまたは複数であり得る。上記で説明されたように、処理システム２１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するために構成された、ＴＸプロセッサ６１６と、ＲＸプロセッサ６７０と、コントローラ／プロセッサ６７５とであり得る。
【０１２８】
[00148]開示されるプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【０１２９】
[00149]以上の説明は、本明細書で説明された様々な態様を当業者が実施できるようにするために与えられた。これらの態様に対する様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」および「Ａ、Ｂ、Ｃ、またはそれらの任意の組合せ」などの組合せは、Ａ、Ｂ、および／またはＣの任意の組合せを含み、Ａの複数、Ｂの複数、またはＣの複数を含み得る。詳細には、「Ａ、Ｂ、またはＣのうちの少なくとも１つ」、「Ａ、Ｂ、およびＣのうちの少なくとも１つ」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、いかなるそのような組合せも、Ａ、Ｂ、またはＣのうちの１つまたは複数の部材を含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015516777.tif 000003
【図２】
2015516777.tif 000004
【図３】
2015516777.tif 000005
【図４】
2015516777.tif 000006
【図５】
2015516777.tif 000007
【図６】
2015516777.tif 000008
【図７】
2015516777.tif 000009
【図８】
2015516777.tif 000010
【図９】
2015516777.tif 000011
【図１０】
2015516777.tif 000012
【図１１】
2015516777.tif 000013
【図１２】
2015516777.tif 000014
【図１３】
2015516777.tif 000015
【図１４】
2015516777.tif 000016
【図１５】
2015516777.tif 000017
【図１６】
2015516777.tif 000018
【図１７】
2015516777.tif 000019
【図１８】
2015516777.tif 000020
【図１９】
2015516777.tif 000021
【図２０】
2015516777.tif 000022
【図２１】
2015516777.tif 000023
【国際調査報告】
2015516777.tif 000024
2015516777.tif 000025
2015516777.tif 000026
2015516777.tif 000027
2015516777.tif 000028